(57)【特許請求の範囲】
【請求項１】
ワイヤレス通信システムにおける基地局とユーザ装置（ＵＥ）との間のワイヤレス通信の方法であって、
前記基地局が、前記基地局の送信機によってサービス提供される１つまたは複数の周波数帯域上で、前記送信機によってサポートされる１つまたは複数のチャネルに関して、クリアチャネルアセスメント（ＣＣＡ）チェックを実施することと、
前記基地局が、前記ＣＣＡチェックが成功した前記１つまたは複数のチャネルの各々上で、基準チャネル状態情報（ＣＳＩ）処理の指示を送信することと、
ここにおいて、前記基準ＣＳＩ処理は、前記１つまたは複数の周波数帯域内の前記１つまたは複数のチャネルに適用可能であり、
ここにおいて、前記ＵＥがＣＳＩ報告を送信する際に前記基準ＣＳＩ処理に適用される基準送信電力は、前記送信機がサポートするように構成された１つまたは複数の周波数帯域の前記１つまたは複数のチャネルにわたって等しく分散された、前記１つまたは複数の周波数帯域の各々の最大送信電力として、前記送信において示され、
前記基地局が、前記１つまたは複数のチャネルのうちのスケジューリングされた１つまたは複数の各々に関する前記ＵＥからのＣＳＩ報告を受信することと、ここにおいて、前記ＣＳＩ報告は、
前記送信機によってサポートされる前記１つまたは複数のチャネルのうちの前記スケジューリングされた１つまたは複数が、前記送信機によってサポートされる前記１つまたは複数のチャネルのすべてであるときには、前記基準ＣＳＩ処理、または、
前記送信機によってサポートされる前記１つまたは複数のチャネルのうちの前記スケジューリングされた１つまたは複数が、前記送信機によってサポートされる前記１つまたは複数のチャネルのサブセットであるときには、補助的なＣＳＩ報告、
のうちの１つに基づく
を備える、方法。
【請求項２】
前記補助的なＣＳＩ報告は、前記送信機によって示される前記基準送信電力とは異なる受信された送信電力を使用して前記ＵＥによって計算される、請求項１に記載の方法。
【請求項３】
前記受信された送信電力は、前記送信機によってサポートされる前記１つまたは複数のチャネルの前記サブセットに少なくとも部分的に基づき、前記サブセットはスケジューリングされている、請求項２に記載の方法。
【請求項４】
前記基地局が、補助的なＣＳＩ処理の指示を送信することをさらに含み、ここにおいて、前記補助的なＣＳＩ処理は、ある帯域内の異なるチャネルにわたって不均等に分配された電力でチャネルのサブセットのＣＳＩを報告するために、前記送信機によってサポートされる前記１つまたは複数のチャネルの１つまたは複数のサブセットに関して定義され、前記１つまたは複数のサブセットはスケジューリングされており、
ここにおいて、前記補助的なＣＳＩ報告は、前記送信機によってサポートされる前記１つまたは複数のチャネルの前記サブセットに関して定義された前記補助的なＣＳＩ処理に基づく、請求項１に記載の方法。
【請求項５】
前記補助的なＣＳＩ処理は、複数のＵＥのうちの指定されたＵＥに前記基地局によって送信される、請求項４に記載の方法。
【請求項６】
前記指定されたＵＥ以外の前記複数のＵＥのデータ送信をレートマッチングするために、前記基地局が、１つまたは複数のＣＳＩ基準信号（ＣＳＩ−ＲＳ）を前記指定されたＵＥ以外の前記複数のＵＥの各々に送信することをさらに含む、請求項５に記載の方法。
【請求項７】
前記ＵＥがＣＳＩ報告を送信する際に前記基準ＣＳＩ処理に適用される前記基準送信電力は、前記送信機によってサポートされる前記１つまたは複数のチャネルの総数対前記ＣＣＡチェックが成功した前記１つまたは複数のチャネルの数の比にしたがって、スケーリングされる、請求項１に記載の方法。
【請求項８】
前記ＣＳＩ報告は、前記ＣＣＡチェックが成功した前記１つまたは複数のチャネルのすべてのサブフレームにわたって前記ＵＥによって平均化されない、請求項７に記載の方法。
【請求項９】
前記基地局が、前記ＵＥが前記送信機によってサポートされる前記１つまたは複数のチャネルのうちの前記スケジューリングされた１つまたは複数に対応する前記ＣＳＩ報告を送信するための、前記送信機によってサポートされる前記１つまたは複数のチャネルのうちの前記スケジューリングされた１つまたは複数のうちのチャネルのセットの通知を送信することをさらに含む、請求項１に記載の方法。
【請求項１０】
前記基地局が、前記ＵＥが前記ＣＳＩ報告を提供することになる、前記送信機によってサポートされる前記１つまたは複数のチャネルのうちの前記スケジューリングされた１つまたは複数の、チャネルの数を送信することと、
前記基地局が、前記ＵＥが前記ＣＳＩ報告を提供することになるＣＳＩカテゴリを送信することと、
をさらに含み、
ここにおいて、前記ＣＳＩ報告を前記受信することは、前記基地局が、前記チャネルの数までの、前記ＣＳＩカテゴリを満たす、前記送信機によってサポートされる前記１つまたは複数のチャネルのうちの前記スケジューリングされた１つまたは複数の各々に関するＣＳＩ報告を受信することを含む、
請求項１に記載の方法。
【請求項１１】
前記ＣＳＩカテゴリは、
最も高いＭ値のＣＳＩ測定値、ここでＭは少なくとも１である、
最もステイルなＣＳＩ値を有する１つまたは複数のチャネル、または、
時間の所定のウィンドウにわたってＣＳＩの変化が最も少ない１つまたは複数のチャネル
のうちの１つを含む、請求項１０に記載の方法。
【請求項１２】
ワイヤレス通信システムにおける基地局とユーザ装置（ＵＥ）との間のワイヤレス通信の方法であって、
前記ＵＥが、前記基地局のサービング送信機によってサービス提供される１つまたは複数の周波数帯域の各々上で、基準チャネル状態情報（ＣＳＩ）処理の指示を受信することと、
ここにおいて、前記基準ＣＳＩ処理は、前記１つまたは複数の周波数帯域内の、前記サービング送信機によってサポートされる前記１つまたは複数のチャネルに適用可能であり、
ここにおいて、前記ＵＥがＣＳＩ報告を送信する際に前記基準ＣＳＩ処理に適用される基準送信電力は、前記サービング送信機がサポートするように構成された１つまたは複数の周波数帯域の前記１つまたは複数のチャネルにわたって等しく分散された、前記１つまたは複数の周波数帯域の各々の最大送信電力として示され、
前記ＵＥが、前記１つまたは複数のチャネルのうちの１つまたは複数に関する前記サービング送信機からのスケジュールを受信することと、
前記ＵＥが、前記１つまたは複数のチャネルのうちのスケジューリングされた１つまたは複数の各々に関してＣＳＩ報告を生成することと、ここにおいて、前記ＣＳＩ報告の各々は、
前記サービング送信機によってサポートされる前記１つまたは複数のチャネルのうちの前記スケジューリングされた１つまたは複数が、前記サービング送信機によってサポートされる前記１つまたは複数のチャネルのすべてであるときには、前記基準ＣＳＩ処理、または、
前記サービング送信機によってサポートされる前記１つまたは複数のチャネルのうちの前記スケジューリングされた１つまたは複数が、前記サービング送信機によってサポートされる前記１つまたは複数のチャネルのサブセットであるときには、補助的なＣＳＩ報告、
のうちの１つに基づく、
を備える、方法。
【請求項１３】
前記サービング送信機によってサポートされる前記１つまたは複数のチャネルのうちの前記スケジューリングされた１つまたは複数は、前記サービング送信機によってサポートされる前記１つまたは複数のチャネルの前記サブセットであり、前記方法は、
前記ＵＥが、修正された送信電力を使用して前記補助的なＣＳＩ報告を送信することをさらに含み、ここにおいて、前記修正された送信電力は、前記サービング送信機によってサポートされる前記１つまたは複数のチャネルの総数対前記サービング送信機によってサポートされる前記１つまたは複数のチャネルの前記サブセットにおけるチャネルの数の比によってスケーリングされる前記基準送信電力である、
請求項１２に記載の方法。
【請求項１４】
前記ＵＥが、補助的なＣＳＩ処理の指示を受信することをさらに含み、ここにおいて、前記補助的なＣＳＩ処理は、ある帯域内の異なるチャネルにわたって不均等に分配された電力でチャネルのサブセットのＣＳＩを報告するために、前記サービング送信機によってサポートされる前記１つまたは複数のチャネルの１つまたは複数のサブセットに関して定義され、前記１つまたは複数のサブセットはスケジューリングされており、
ここにおいて、前記補助的なＣＳＩ報告は、前記サービング送信機によってサポートされる前記１つまたは複数のチャネルの前記サブセットに関して定義された前記補助的なＣＳＩ処理に基づく、請求項１２に記載の方法。
【請求項１５】
前記ＵＥがＣＳＩ報告を送信する際に前記基準ＣＳＩ処理に適用される前記基準送信電力の前記指示は、前記基準送信電力が、ＣＣＡチェックが成功しなかった前記１つまたは複数のチャネルのうちの少なくとも１つに基づいてスケーリングされたことを示す、請求項１２に記載の方法。
【請求項１６】
前記ＣＳＩ報告を前記生成することは、前記ＵＥが、ＣＣＡチェックが成功した前記１つまたは複数のチャネルのすべてのサブフレームにわたって前記ＣＳＩを平均化しないことを含む、請求項１５に記載の方法。
【請求項１７】
前記ＵＥが、前記サービング送信機によってサポートされる前記１つまたは複数のチャネルのうちの前記スケジューリングされた１つまたは複数に対応するＣＳＩ報告を前記サービング送信機に送信するために、前記ＣＳＩ報告が生成される、前記サービング送信機によってサポートされる前記１つまたは複数のチャネルのうちの前記スケジューリングされた１つまたは複数のうちの、チャネルのセットを選択することをさらに含む、請求項１２に記載の方法。
【請求項１８】
前記ＵＥが、前記サービング送信機からチャネルの前記セットを受信することをさらに含む、請求項１７に記載の方法。
【請求項１９】
前記ＵＥが、前記ＣＳＩ報告を提供するための、前記サービング送信機によってサポートされる前記１つまたは複数のチャネルのうちの前記スケジューリングされた１つまたは複数の、チャネルの数を受信することと、
前記ＵＥが、前記ＣＳＩ報告を提供するためのＣＳＩカテゴリを受信することと、
ここにおいて、前記選択することは、前記ＵＥが、前記サービング送信機によってサポートされる前記１つまたは複数のチャネルのうちの前記スケジューリングされた１つまたは複数のうちの何れが前記ＣＳＩカテゴリを満たすかを決定することを含む、
前記ＵＥが、前記チャネルの数までの、前記ＣＳＩカテゴリを満たす、前記サービング送信機によってサポートされる前記１つまたは複数のチャネルのうちの前記スケジューリングされた１つまたは複数の各々に関する前記ＣＳＩ報告を送信することと、
をさらに含む、請求項１７に記載の方法。
【請求項２０】
前記ＣＳＩカテゴリは、
最も高い値のＣＳＩ測定値、
最もステイルなＣＳＩ値を有する１つまたは複数のチャネル、または、
時間の所定のウィンドウにわたってＣＳＩの変化が最も少ない１つまたは複数のチャネル
のうちの１つを含む、請求項１９に記載の方法。
【請求項２１】
前記選択することは、
前記ＵＥが、前記サービング送信機によってサポートされる前記１つまたは複数のチャネルのうちの前記スケジューリングされた１つまたは複数の各々に関して生成された前記ＣＳＩ報告の各々の送信を循環させることを含み、ここにおいて、前記ＵＥの受信機が、ある時間において、前記サービング送信機によってサポートされる前記１つまたは複数のチャネルのうちの前記スケジューリングされた１つまたは複数に対応する１つに関する前記ＣＳＩ報告のうちの１つを送信する、請求項１７に記載の方法。
【請求項２２】
前記選択することは、
前記ＵＥが、前記サービング送信機によってサポートされる前記１つまたは複数のチャネルのうちの前記スケジューリングされた１つまたは複数の各々に関して生成された前記ＣＳＩ報告の各々の送信を優先順位付けすることを含む、請求項１７に記載の方法。
【請求項２３】
前記ＣＳＩ報告を前記生成した後の所定の時間内に前記ＵＥの受信機によって送信されない、前記サービング送信機によってサポートされる前記１つまたは複数のチャネルのうちの前記スケジューリングされた１つまたは複数の各々に関する前記ＣＳＩ報告が、前記受信機によってドロップされる、請求項２２に記載の方法。
【請求項２４】
ＵＥとのワイヤレス通信のために構成された装置であって、
少なくとも１つのプロセッサと、
前記少なくとも１つのプロセッサに結合されたメモリと、
を備え、ここにおいて、前記少なくとも１つのプロセッサは、
前記装置の送信機によってサービス提供される１つまたは複数の周波数帯域上で、前記送信機によってサポートされる１つまたは複数のチャネルに関して、クリアチャネルアセスメント（ＣＣＡ）チェックを実施することと、
前記ＣＣＡチェックが成功した前記１つまたは複数のチャネルの各々上で、基準チャネル状態情報（ＣＳＩ）処理の指示を送信することと、
ここにおいて、前記基準ＣＳＩ処理は、前記１つまたは複数の周波数帯域内の前記１つまたは複数のチャネルに適用可能であり、
ここにおいて、前記ＵＥがＣＳＩ報告を送信する際に前記基準ＣＳＩ処理に適用される基準送信電力は、前記送信機がサポートするように構成された１つまたは複数の周波数帯域の前記１つまたは複数のチャネルにわたって等しく分散された、前記１つまたは複数の周波数帯域の各々の最大送信電力として、前記送信において示され、
前記１つまたは複数のチャネルのうちのスケジューリングされた１つまたは複数の各々に関する前記ＵＥからのＣＳＩ報告を受信することと、ここにおいて、前記ＣＳＩ報告は、
前記送信機によってサポートされる前記１つまたは複数のチャネルのうちの前記スケジューリングされた１つまたは複数が、前記送信機によってサポートされる前記１つまたは複数のチャネルのすべてであるときには、前記基準ＣＳＩ処理、または、
前記送信機によってサポートされる前記１つまたは複数のチャネルのうちの前記スケジューリングされた１つまたは複数が、前記送信機によってサポートされる前記１つまたは複数のチャネルのサブセットであるときには、補助的なＣＳＩ報告、
のうちの１つに基づく、
を行うように構成される、装置。
【請求項２５】
前記補助的なＣＳＩ報告は、前記送信機によって示される前記基準送信電力とは異なる受信された送信電力を使用して前記ＵＥによって計算される、請求項２４に記載の装置。
【請求項２６】
前記受信された送信電力は、前記送信機によってサポートされる前記１つまたは複数のチャネルの前記サブセットに少なくとも部分的に基づき、前記サブセットはスケジューリングされている、請求項２５に記載の装置。
【請求項２７】
補助的なＣＳＩ処理の指示を送信するための前記少なくとも１つのプロセッサの構成をさらに含み、ここにおいて、前記補助的なＣＳＩ処理は、ある帯域内の異なるチャネルにわたって不均等に分配された電力でチャネルのサブセットのＣＳＩを報告するために、前記送信機によってサポートされる前記１つまたは複数のチャネルの１つまたは複数のサブセットに関して定義され、前記１つまたは複数のサブセットはスケジューリングされており、
ここにおいて、前記補助的なＣＳＩ報告は、前記送信機によってサポートされる前記１つまたは複数のチャネルの前記サブセットに関して定義された前記補助的なＣＳＩ処理に基づく、請求項２４に記載の装置。
【請求項２８】
基地局とのワイヤレス通信のために構成された装置であって、
少なくとも１つのプロセッサと、
前記少なくとも１つのプロセッサに結合されたメモリと、
を備え、ここにおいて、前記少なくとも１つのプロセッサは、
前記基地局のサービング送信機によってサービス提供される１つまたは複数の周波数帯域の各々上で、基準チャネル状態情報（ＣＳＩ）処理の指示を受信することと、
ここにおいて、前記基準ＣＳＩ処理は、前記１つまたは複数の周波数帯域内の、前記サービング送信機によってサポートされる前記１つまたは複数のチャネルに適用可能であり、
ここにおいて、前記装置がＣＳＩ報告を送信する際に前記基準ＣＳＩ処理に適用される基準送信電力は、前記サービング送信機がサポートするように構成された１つまたは複数の周波数帯域の前記１つまたは複数のチャネルにわたって等しく分散された、前記１つまたは複数の周波数帯域の各々の最大送信電力として示され、
前記１つまたは複数のチャネルのうちの１つまたは複数に関する前記サービング送信機からのスケジュールを受信することと、
前記１つまたは複数のチャネルのうちのスケジューリングされた１つまたは複数の各々に関してＣＳＩ報告を生成することと、ここにおいて、前記ＣＳＩ報告の各々は、
前記サービング送信機によってサポートされる前記１つまたは複数のチャネルのうちの前記スケジューリングされた１つまたは複数が、前記サービング送信機によってサポートされる前記１つまたは複数のチャネルのすべてであるときには、前記基準ＣＳＩ処理、または、
前記サービング送信機によってサポートされる前記１つまたは複数のチャネルのうちの前記スケジューリングされた１つまたは複数が、前記サービング送信機によってサポートされる前記１つまたは複数のチャネルのサブセットであるときには、補助的なＣＳＩ報告、
のうちの１つに基づく、
を行うように構成される、装置。
【請求項２９】
前記サービング送信機によってサポートされる前記１つまたは複数のチャネルのうちの前記スケジューリングされた１つまたは複数は、前記サービング送信機によってサポートされる前記１つまたは複数のチャネルの前記サブセットであり、前記装置は、修正された送信電力を使用して前記補助的なＣＳＩ報告を送信するための前記少なくとも１つのプロセッサの構成をさらに含み、ここにおいて、前記修正された送信電力は、前記サービング送信機によってサポートされる前記１つまたは複数のチャネルの総数対前記サービング送信機によってサポートされる前記１つまたは複数のチャネルの前記サブセットにおけるチャネルの数の比によってスケーリングされる前記基準送信電力である、請求項２８に記載の装置。
【請求項３０】
補助的なＣＳＩ処理の指示を受信するための前記少なくとも１つのプロセッサの構成をさらに含み、ここにおいて、前記補助的なＣＳＩ処理は、ある帯域内の異なるチャネルにわたって不均等に分配された電力でチャネルのサブセットのＣＳＩを報告するために、前記サービング送信機によってサポートされる前記１つまたは複数のチャネルの１つまたは複数のサブセットに関して定義され、前記１つまたは複数のサブセットはスケジューリングされており、
ここにおいて、前記補助的なＣＳＩ報告は、前記サービング送信機によってサポートされる前記１つまたは複数のチャネルの前記サブセットに関して定義された前記補助的なＣＳＩ処理に基づく、請求項２８に記載の装置。
【発明の詳細な説明】
【関連出願の相互参照】
【０００１】
[0001]  本出願は、「MULTI-CHANNEL CSI FEEDBACK FOR LTE/LTE-A WITH UNLICENSED SPECTRUM」と題されて、２０１４年１０月２７日に出願された米国仮特許出願第６２／０６９，１４６号、および「MULTI-CHANNEL CSI FEEDBACK FOR LTE/LTE-A WITH UNLICENSED SPECTRUM」と題されて、２０１５年１０月２６日に出願された米国実用特許出願第１４／９２２，７２４号の利益を主張し、それらは全体が参照により本明細書に明示的に組み込まれる。
【技術分野】
【０００２】
[0002]  本開示の複数の態様は、一般にワイヤレス通信システムに関し、より具体的には、無認可スペクトル（unlicensed spectrum）を用いたロングタームエボリューション（ＬＴＥ（登録商標））／ＬＴＥ−アドバンスト（ＬＴＥ−Ａ）に関するマルチチャネルチャネル状態情報（ＣＳＩ：channel state information）フィードバックに関する。
【背景技術】
【０００３】
[0003]  ワイヤレス通信ネットワークは、音声、ビデオ、パケットデータ、メッセージング、ブロードキャスト等のような様々な通信サービスを提供するために広く展開されている。これらのワイヤレスネットワークは、利用可能なネットワークリソースを共有することによって、複数のユーザをサポートすることが可能である多元接続ネットワーク（multiple-access networks）であり得る。そのようなネットワーク、なおそれらは通常多元接続ネットワーク（multiple access networks）である、は、利用可能なネットワークリソースを共有することによって複数のユーザのための通信をサポートする。そのようなネットワークの１つの例は、ユニバーサル地上無線アクセスネットワーク（ＵＴＲＡＮ）である。ＵＴＲＡＮは、ユニバーサルモバイル電気通信システム（ＵＭＴＳ）、第３世代パートナーシッププロジェクト（３ＧＰＰ（登録商標））によってサポートされる第３世代（３Ｇ）携帯電話技術の一部として定義される無線アクセスネットワーク（ＲＡＮ）である。多元接続ネットワークのフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  ワイヤレス通信ネットワークは、いくつかのユーザ装置（ＵＥ）のための通信をサポートすることができるいくつかの基地局またはノードＢを含み得る。ＵＥは、ダウンリンクおよびアップリンクを介して基地局と通信し得る。ダウンリンク（またはフォワードリンク）は、基地局からＵＥへの通信リンクを指し、アップリンク（またはリバースリンク）は、ＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上では、基地局からの送信は、隣接基地局（neighbor base stations）からのまたは他のワイヤレス無線周波数（ＲＦ）送信機からの送信に起因する干渉に直面（encounter）し得る。アップリンク上では、ＵＥからの送信は、隣接基地局と通信する他のＵＥのアップリンク送信からのまたは他のワイヤレスＲＦ送信機からの干渉に直面し得る。この干渉は、ダウンリンクおよびアップリンクの両方においてパフォーマンスを低下（degrade）させ得る。
【０００６】
[0006]  モバイルブロードバンドアクセスに対する需要が高まり続けるにつれて、より多くのＵＥが長距離ワイヤレス通信ネットワークにアクセスし、そしてより多くの短距離ワイヤレスシステムがコミュニティにおいて展開されることに伴って、干渉および輻輳したネットワーク（congested networks）の可能性が高まる。研究および開発は、モバイルブロードバンドアクセスに対する需要の高まりを満たすだけでなく、モバイル通信のユーザエクスペリエンスを向上および強化するために、ＵＭＴＳ技術を向上させ続ける。
【発明の概要】
【０００７】
[0007]  本開示の一態様では、ワイヤレス通信の方法は、送信機によってサービス提供される１つまたは複数の周波数帯域上で、送信機によってサポートされる１つまたは複数のチャネルに関して、クリアチャネルアセスメント（ＣＣＡ：clear channel assessment）チェックを実施することと、ＣＣＡチェックが成功した１つまたは複数のチャネルの各々上で、基準チャネル状態情報（ＣＳＩ）処理の指示を送信することとを含み、ここにおいて、基準ＣＳＩ処理は、１つまたは複数の周波数帯域内の１つまたは複数のチャネルに適用可能であり、基準ＣＳＩ処理の基準送信電力は、対応する１つまたは複数の周波数帯域の１つまたは複数のチャネルにわたって等しく分散された（spread）、１つまたは複数の周波数帯域の各々の最大送信電力として、送信において示される。この方法は、１つまたは複数のチャネルのうちの１つまたは複数に関するＵＥからのＣＳＩ報告を受信することをさらに含み、ここにおいて、ＣＳＩ報告は、１つまたは複数のチャネルのうちの１つまたは複数が１つまたは複数のチャネルのすべてであるときには、基準ＣＳＩ処理に基づき、または、１つまたは複数のチャネルのうちの１つまたは複数が１つまたは複数のチャネルのサブセットであるときには、修正されたＣＳＩ報告に基づく。
【０００８】
[0008]  本開示の追加的な態様では、ワイヤレス通信の方法は、サービング送信機によってサービス提供される１つまたは複数の周波数帯域の各々上で、基準ＣＳＩ処理の指示を受信することを含み、ここにおいて、基準ＣＳＩ処理は、１つまたは複数の周波数帯域内の、サービング送信機によってサポートされる１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として示される。この方法は、１つまたは複数のチャネルのうちの１つまたは複数に関するサービング送信機からのスケジュールを受信することと、１つまたは複数のチャネルのうちのスケジューリングされた１つまたは複数の各々に関してＣＳＩ報告を生成することとをさらに含み、ここにおいて、ＣＳＩ報告の各々は、１つまたは複数のチャネルのうちのスケジューリングされた１つまたは複数が１つまたは複数のチャネルのすべてであるときには、基準ＣＳＩ処理に基づき、または、１つまたは複数のチャネルのうちのスケジューリングされた１つまたは複数が１つまたは複数のチャネルのスケジューリングされたサブセットであるときには、修正されたＣＳＩ報告に基づく。
【０００９】
[0009]  本開示の追加的な態様では、ワイヤレス通信のために構成された装置は、送信機によってサービス提供される１つまたは複数の周波数帯域上で、送信機によってサポートされる１つまたは複数のチャネルに関して、ＣＣＡチェックを実施するための手段と、ＣＣＡチェックが成功した１つまたは複数のチャネルの各々上で、基準ＣＳＩ処理の指示を送信するための手段とを含み、ここにおいて、基準ＣＳＩ処理は、１つまたは複数の周波数帯域内の１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として、送信において示される。この装置は、１つまたは複数のチャネルのうちの１つまたは複数に関するＵＥからのＣＳＩ報告を受信するための手段をさらに含み、ここにおいて、ＣＳＩ報告は、１つまたは複数のチャネルのうちの１つまたは複数が１つまたは複数のチャネルのすべてであるときには、基準ＣＳＩ処理に基づき、または、１つまたは複数のチャネルのうちの１つまたは複数が１つまたは複数のチャネルのサブセットであるときには、修正されたＣＳＩ報告に基づく。
【００１０】
[0010]  本開示の追加的な態様では、ワイヤレス通信のために構成された装置は、サービング送信機によってサービス提供される１つまたは複数の周波数帯域の各々上で、基準ＣＳＩ処理の指示を受信するための手段を含み、ここにおいて、基準ＣＳＩ処理は、１つまたは複数の周波数帯域内の、サービング送信機によってサポートされる１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として示される。この装置は、１つまたは複数のチャネルのうちの１つまたは複数に関するサービング送信機からのスケジュールを受信するための手段と、１つまたは複数のチャネルのうちのスケジューリングされた１つまたは複数の各々に関してＣＳＩ報告を生成するための手段とをさらに含み、ここにおいて、ＣＳＩ報告の各々は、１つまたは複数のチャネルのうちのスケジューリングされた１つまたは複数が１つまたは複数のチャネルのすべてであるときには、基準ＣＳＩ処理に基づき、または、１つまたは複数のチャネルのうちのスケジューリングされた１つまたは複数が１つまたは複数のチャネルのスケジューリングされたサブセットであるときには、修正されたＣＳＩ報告に基づく。
【００１１】
[0011]  本開示の追加的な態様では、プログラムコードを記録したコンピュータ読み取り可能な媒体である。このプログラムコードは、送信機によってサービス提供される１つまたは複数の周波数帯域上で、送信機によってサポートされる１つまたは複数のチャネルに関して、ＣＣＡチェックを実施するためのコードと、ＣＣＡチェックが成功した１つまたは複数のチャネルの各々上で、基準ＣＳＩ処理の指示を送信するためのコードとを含み、ここにおいて、基準ＣＳＩ処理は、１つまたは複数の周波数帯域内の１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として、送信において示される。このプログラムコードは、１つまたは複数のチャネルのうちの１つまたは複数に関するＵＥからのＣＳＩ報告を受信するためのコードをさらに含み、ここにおいて、ＣＳＩ報告は、１つまたは複数のチャネルのうちの１つまたは複数が１つまたは複数のチャネルのすべてであるときには、基準ＣＳＩ処理に基づき、または、１つまたは複数のチャネルのうちの１つまたは複数が１つまたは複数のチャネルのサブセットであるときには、修正されたＣＳＩ報告に基づく。
【００１２】
[0012]  本開示の追加的な態様では、プログラムコードを記録したコンピュータ読み取り可能な媒体である。このプログラムコードは、サービング送信機によってサービス提供される１つまたは複数の周波数帯域の各々上で、基準ＣＳＩ処理の指示を受信するためのコードを含み、ここにおいて、基準ＣＳＩ処理は、１つまたは複数の周波数帯域内の、サービング送信機によってサポートされる１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として示される。このプログラムコードは、１つまたは複数のチャネルのうちの１つまたは複数に関するサービング送信機からのスケジュールを受信するためのコードと、１つまたは複数のチャネルのうちのスケジューリングされた１つまたは複数の各々に関してＣＳＩ報告を生成するためのコードとをさらに含み、ここにおいて、ＣＳＩ報告の各々は、１つまたは複数のチャネルのうちのスケジューリングされた１つまたは複数が１つまたは複数のチャネルのすべてであるときには、基準ＣＳＩ処理に基づき、または、１つまたは複数のチャネルのうちのスケジューリングされた１つまたは複数が１つまたは複数のチャネルのスケジューリングされたサブセットであるときには、修正されたＣＳＩ報告に基づく。
【００１３】
[0013]  本開示の追加的な態様では、装置は、少なくとも１つのプロセッサと、プロセッサに結合されたメモリとを含む。このプロセッサは、送信機によってサービス提供される１つまたは複数の周波数帯域上で、送信機によってサポートされる１つまたは複数のチャネルに関して、ＣＣＡチェックを実施することと、ＣＣＡチェックが成功した１つまたは複数のチャネルの各々上で、基準ＣＳＩ処理の指示を送信することと、を行うように構成され、ここにおいて、基準ＣＳＩ処理は、１つまたは複数の周波数帯域内の１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として、送信において示される。この装置は、１つまたは複数のチャネルのうちの１つまたは複数に関するＵＥからのＣＳＩ報告を受信するためのプロセッサの構成をさらに含み、ここにおいて、ＣＳＩ報告は、１つまたは複数のチャネルのうちの１つまたは複数が１つまたは複数のチャネルのすべてであるときには、基準ＣＳＩ処理に基づき、または、１つまたは複数のチャネルのうちの１つまたは複数が１つまたは複数のチャネルのサブセットであるときには、修正されたＣＳＩ報告に基づく。
【００１４】
[0014]  本開示の追加的な態様では、装置は、少なくとも１つのプロセッサと、プロセッサに結合されたメモリとを含む。このプロセッサは、サービング送信機によってサービス提供される１つまたは複数の周波数帯域の各々上で、基準ＣＳＩ処理の指示を受信するように構成され、ここにおいて、基準ＣＳＩ処理は、１つまたは複数の周波数帯域内の、サービング送信機によってサポートされる１つまたは複数のチャネルに適用可能であり、基準ＣＳＩ処理の基準送信電力は、対応する１つまたは複数の周波数帯域の１つまたは複数のチャネルにわたって等しく分散された、１つまたは複数の周波数帯域の各々の最大送信電力として示される。この装置は、１つまたは複数のチャネルのうちの１つまたは複数に関するサービング送信機からのスケジュールを受信することと、１つまたは複数のチャネルのうちのスケジューリングされた１つまたは複数の各々に関してＣＳＩ報告を生成することと、を行うためのプロセッサの構成をさらに含み、ここにおいて、ＣＳＩ報告の各々は、１つまたは複数のチャネルのうちのスケジューリングされた１つまたは複数が１つまたは複数のチャネルのすべてであるときには、基準ＣＳＩ処理に基づき、または、１つまたは複数のチャネルのうちのスケジューリングされた１つまたは複数が１つまたは複数のチャネルのスケジューリングされたサブセットであるときには、修正されたＣＳＩ報告に基づく。
【図面の簡単な説明】
【００１５】
【図１】[0015]  図１は、様々な実施形態にしたがって、ワイヤレス通信システムの例を例示する図を示す。
【図２Ａ】[0016]  図２Ａは、様々な実施形態にしたがって、無認可スペクトルにおいてＬＴＥを使用するための展開状況（deployment scenarios）の例を例示する図を示す。
【図２Ｂ】[0017]  図２Ｂは、様々な実施形態にしたがって、無認可スペクトルにおいてＬＴＥを使用するための展開状況の別の例を例示する図を示す。
【図３】[0018]  図３は、様々な実施形態にしたがって、認可（licensed）スペクトルおよび無認可スペクトルにおいて同時にＬＴＥを使用するときのキャリアアグリゲーションの例を例示する図を示す。
【図４】[0019]  図４は、本開示の一態様にしたがって構成された基地局／ｅＮＢおよびＵＥの設計を例示するブロック図である。
【図５Ａ】[0020]  図５Ａは、マルチチャネル通信システムにおける送信帯域を例示するブロック図である。
【図５Ｂ】図５Ｂは、マルチチャネル通信システムにおける送信帯域を例示するブロック図である。
【図６Ａ】[0021]  図６Ａは、本開示の複数の態様にしたがって構成されたマルチチャネル送信帯域を例示するブロック図である。
【図６Ｂ】図６Ｂは、本開示の複数の態様にしたがって構成されたマルチチャネル送信帯域を例示するブロック図である。
【図６Ｃ】図６Ｃは、本開示の複数の態様にしたがって構成されたマルチチャネル送信帯域を例示するブロック図である。
【図７】[0022]  図７は、本開示の一態様をインプリメント（implement）するために実行される例示的なブロックを例示するブロック図である。
【図８】[0023]  図８は、本開示の一態様をインプリメントするために実行される例示的なブロックを例示するブロック図である。
【図９】[0024]  図９は、本開示の一態様にしたがって構成された通信システムを例示するブロック図である。
【詳細な説明】
【００１６】
[0025]  添付図面に関連して以下に記載される詳細な説明は、様々な構成の１つの説明として意図されており、本開示の範囲を限定するようには意図されていない。むしろ、詳細な説明は、特許性を有する（inventive）主題の完全な理解を提供することを目的として特定の詳細を含む。これら特定の詳細があらゆるケースで必要とされるわけではないこと、および、いくつかの事例では、周知の構造およびコンポーネントが提示の明確さのためにブロック図の形式で示されることは、当業者には明らかであろう。
【００１７】
[0026]  オペレータはこれまでのところ、ＷｉＦｉを、セルラネットワークにおいて増え続ける輻輳（congestion）のレベルを緩和するために無認可スペクトルを使用するためのプライマリメカニズムと考えてきた。しかしながら、無認可スペクトルを含むＬＴＥ／ＬＴＥ−Ａに基づく新しいキャリアタイプ（ＮＣＴ）は、キャリアグレードのＷｉＦｉ（carrier-grade WiFi）と互換性があり得、これにより無認可スペクトルを用いたＬＴＥ／ＬＴＥ−ＡはＷｉＦｉの代替となった。無認可スペクトルを用いたＬＴＥ／ＬＴＥ−Ａは、ＬＴＥのコンセプトを活用し得、そして、無認可スペクトルにおいて効率的な動作を提供し、かつ規制要件（regulatory requirements）を満たすために、ネットワークデバイスまたはネットワークの物理レイヤ（ＰＨＹ）および媒体アクセス制御（ＭＡＣ）の態様にいくつかの修正を導入し得る。無認可スペクトルは、例えば、６００メガヘルツ（ＭＨｚ）から６ギガヘルツ（ＧＨｚ）に及び得る（range）。いくつかの状況では、無認可スペクトルを用いたＬＴＥ／ＬＴＥ−Ａは、ＷｉＦｉと比較して著しくより良好に機能し得る（perform）。例えば、全面的なＷｉＦｉ展開と比較した、全面的な無認可スペクトルを用いたＬＴＥ／ＬＴＥ−Ａ展開（単一のまたは複数のオペレータに関する）、あるいは、高密度のスモールセル展開（dense small cell deployments）が存在するとき、無認可スペクトルを用いたＬＴＥ／ＬＴＥ−Ａは、ＷｉＦｉと比較して著しくより良好に機能し得る。無認可スペクトルを用いたＬＴＥ／ＬＴＥ−Ａは、無認可スペクトルを用いたＬＴＥ／ＬＴＥ−Ａが（単一のまたは複数のオペレータに関して）ＷｉＦｉと混合されたような他の状況において、ＷｉＦｉと比較してより良好に機能し得る。
【００１８】
[0027]  単一のサービスプロバイダ（ＳＰ）に関して、無認可スペクトルを用いたＬＴＥ／ＬＴＥ−Ａネットワークは、認可スペクトル上のＬＴＥネットワークと同期するように構成され得る。しかしながら、複数のＳＰによって所与のチャネル上に展開される無認可スペクトルを用いたＬＴＥ／ＬＴＥ−Ａネットワークは、複数のＳＰにわたって同期するように構成され得る。上述した特徴の両方を組み込むための１つのアプローチは、所与のＳＰに関する無認可スペクトルを用いたＬＴＥ／ＬＴＥ−Ａネットワークと無認可スペクトルを用いないＬＴＥ／ＬＴＥ−Ａネットワークとの間で一定なタイミングオフセットを使用することに関わり得る。無認可スペクトルを用いたＬＴＥ／ＬＴＥ−Ａネットワークは、ＳＰのニーズにしたがって、ユニキャストおよび／またはマルチキャストサービスを提供し得る。また、無認可スペクトルを用いたＬＴＥ／ＬＴＥ−Ａネットワークは、ＬＴＥセルがアンカーとしての役割を果たし、無認可スペクトルを用いたＬＴＥ／ＬＴＥ−Ａセルについて関連するセル情報（例えば、無線フレームタイミング、共通チャネル構成、システムフレーム番号またはＳＦＮ等）を提供する、ブートストラップモード（a bootstrapped mode）で動作し得る。このモードでは、無認可スペクトルを用いないＬＴＥ／ＬＴＥ−Ａと無認可スペクトルを用いたＬＴＥ／ＬＴＥ−Ａとの間の密接な相互作用（interworking）が存在し得る。例えば、ブートストラップモードは、補足ダウンリンクおよび上述したキャリアアグリゲーションモードをサポートし得る。無認可スペクトルを用いたＬＴＥ／ＬＴＥ−ＡネットワークのＰＨＹ−ＭＡＣレイヤは、無認可スペクトルを用いたＬＴＥ／ＬＴＥ−Ａネットワークが無認可スペクトルを用いないＬＴＥネットワークとは独立して動作するスタンドアロンモードで動作し得る。この場合、例えば、複数のセルおよび／または基地局にわたるマルチフロー、または、無認可スペクトルセルを用いた／用いないコロケートされたＬＴＥ／ＬＴＥ−Ａを伴うＲＬＣ−レベルのアグリゲーションに基づいた無認可スペクトルを用いないＬＴＥと無認可スペクトルを用いたＬＴＥ／ＬＴＥ−Ａとの間のゆるい相互作用（a loose interworking）が存在し得る。
【００１９】
[0028]  ここに説明された技法は、ＬＴＥに限定されず、ＣＤＭＡ、ＴＤＭＡ、ＦＤＭＡ、ＯＦＤＭＡ、ＳＣ−ＦＤＭＡおよび他のシステム等の、様々なワイヤレス通信システムのためにも使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ：Universal Terrestrial Radio Access）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは、通常ＣＤＭＡ２０００  １Ｘ、１Ｘ等と称される。ＩＳ−８５６（ＴＩＡ−８５６）は、通常ＣＤＭＡ２０００  １ｘＥＶ−ＤＯ、高レートパケットデータ（ＨＲＰＤ）等と称される。ＵＴＲＡは、ワイドバンドＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ等のような無線技術をインプリメントし得る。ＵＴＲＡおよびＥ−ＵＴＲＡは、ユニバーサルモバイル電気通信システム（ＵＭＴＳ：Universal Mobile Telecommunication System）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明される技法は、上述されたシステムおよび無線技術、ならびに他のシステムおよび無線技術のために使用され得る。それらの技法はＬＴＥアプリケーションを超えて適用可能であるのだが、しかしながら以下の説明は、例示の目的でＬＴＥシステムを説明しており、以下の説明の大部分でＬＴＥ用語が使用される。
【００２０】
[0029]  したがって、以下の説明は例を提供するものであり、特許請求の範囲に記載される構成、適用可能性、または範囲を限定するものではない。本開示の範囲および精神から逸脱することなく、説明された要素の配列（arrangement）および機能に変更が成され得る。様々な実施形態は、必要に応じて様々なプロシージャまたはコンポーネントを省略、代用、または追加し得る。例えば、説明される方法は、説明されるものとは異なる順序で実施され得、かつ様々なステップが追加、省略、または組み合わせられ得る。また、ある特定の実施形態に関して説明される複数の特徴は、他の実施形態においては組み合わされ得る。
【００２１】
[0030]  初めに図１を参照すると、図はワイヤレス通信システムまたはネットワーク１００の例を例示する。システム１００は、基地局（またはセル）１０５、通信デバイス１１５、およびコアネットワーク１３０を含む。基地局１０５は、基地局コントローラ（示されていない）の制御下で通信デバイス１１５と通信し得、それは、様々な実施形態において、基地局１０５またはコアネットワーク１３０の一部であり得る。基地局１０５は、バックホールリンク１３２を通してコアネットワーク１３０と制御情報および／またはユーザデータを通信し得る。複数の実施形態において、基地局１０５は、直接的にまたは間接的に、バックホールリンク１３４上で互いに通信し得、それはワイヤードまたはワイヤレス通信リンクであり得る。システム１００は、マルチプルキャリア（multiple carriers）（異なる周波数の波形信号）上での動作をサポートし得る。マルチキャリア送信機（Multi-carrier transmitters）は、マルチプルキャリア上で、変調された信号を同時に送信することができる。例えば、各通信リンク１２５は、上述した様々な無線技術にしたがって変調されたマルチキャリア信号であり得る。各変調された信号は、異なるキャリア上で送られ得、制御情報（例えば、基準信号、制御チャネル等）、オーバヘッド情報、データ等を搬送し得る。
【００２２】
[0031]  基地局１０５は、１つまたは複数の基地局アンテナを介してデバイス１１５とワイヤレスに通信し得る。基地局１０５の場所（the base station 105 sites）の各々は、それぞれの地理的領域１１０に関する通信カバレッジを提供し得る。いくつかの実施形態では、基地局１０５は、ベーストランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢまたは何らかの他の適切な用語で呼ばれ得る。基地局に関するカバレッジエリア１１０は、カバレッジエリアの一部のみを構成するセクタ（示されていない）に分割され得る。システム１００は、異なるタイプの基地局１０５（例えば、マクロ、マイクロ、および／またはピコ基地局）を含み得る。異なる技術についてオーバーラップするカバレッジエリアが存在し得る。
【００２３】
[0032]  いくつかの実施形態では、システム１００は、１つまたは複数の無認可スペクトルの動作のモードまたは展開状況をサポートするＬＴＥ／ＬＴＥ−Ａネットワークである。他の実施形態では、システム１００は、無認可スペクトルおよび無認可スペクトルを用いたＬＴＥ／ＬＴＥ−Ａとは異なるアクセス技術、あるいは、認可スペクトルおよびＬＴＥ／ＬＴＥ−Ａとは異なるアクセス技術を使用して、ワイヤレス通信をサポートし得る。発展型ＮｏｄｅＢ（ｅＮＢ）およびユーザ装置（ＵＥ）という用語は一般に、それぞれ基地局１０５およびデバイス１１５を説明するために使用され得る。システム１００は、異なるタイプのｅＮＢが様々な地理的領域についてのカバレッジを提供する、無認可スペクトルを用いたまたは無認可スペクトルを用いない異種のＬＴＥ／ＬＴＥ−Ａネットワークであり得る。例えば、各ｅＮＢ１０５は、マクロセル、ピコセル、フェムトセルおよび／または他のタイプのセルに関する通信カバレッジを提供し得る。ピコセル、フェムトセルおよび／または他のタイプのセルのようなスモールセルは、低電力ノードまたはＬＰＮを含み得る。マクロセルは一般に、比較的広い地理的エリア（例えば、半径数キロメートル）をカバーし、ネットワークプロバイダにサービス加入しているＵＥによる無制限のアクセスを可能にし得る。ピコセルは一般に、比較的より狭い地理的エリアをカバーすることになり、ネットワークプロバイダにサービス加入しているＵＥによる無制限のアクセスを可能にし得る。フェムトセルもまた一般に、比較的狭い地理的エリア（例えば、家）をカバーすることになり、無制限のアクセスに加えて、このフェムトセルと関連のあるＵＥ（例えば、クローズド加入者グループ（ＣＳＧ：closed subscriber group）のＵＥ、家の中にいるユーザに関するＵＥ等）による制限付のアクセスも提供し得る。マクロセルに関するｅＮＢはマクロｅＮＢと呼ばれ得る。ピコセルに関するｅＮＢは、ピコｅＮＢと呼ばれ得る。そして、フェムトセルに関するｅＮＢは、フェムトｅＮＢまたはホームｅＮＢと呼ばれ得る。ｅＮＢは、１つまたは複数（例えば、２つ、３つ、４つ等）のセルをサポートし得る。
【００２４】
[0033]  コアネットワーク１３０は、バックホール１３２（例えば、Ｓ１等）を介してｅＮＢ１０５と通信し得る。ｅＮＢ１０５はまた、例えば、バックホールリンク１３４（例えば、Ｘ２等）を介して、および／またはバックホールリンク１３２を介して（例えば、コアネットワーク１３０を通して）直接的にまたは間接的に互いに通信し得る。システム１００は、同期または非同期動作をサポートし得る。同期動作の場合、ｅＮＢは同様のフレームおよび／またはゲートタイミング（gating timing）を有し得、異なるｅＮＢからの送信は、時間的にほぼアラインされ得る（aligned in time）。非同期動作の場合、ｅＮＢは異なるフレームおよび／またはゲートタイミングを有し得、異なるｅＮＢからの送信は、時間的にアラインされない可能性がある。ここで説明される技法は、同期動作または非同期動作の何れかのために使用され得る。
【００２５】
[0034]  ＵＥ１１５は、システム１００全体に散在し（dispersed）、各ＵＥは固定式（stationary）かまたはモバイル（mobile）であり得る。ＵＥ１１５は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語でも呼ばれ得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局等であり得る。ＵＥは、マクロｅＮＢ、ピコｅＮＢ、フェムトｅＮＢ、リレイ（relays）等と通信することが可能であり得る。
【００２６】
[0035]  システム１００に示される通信リンク１２５は、モバイルデバイス１１５から基地局１０５へのアップリンク（ＵＬ）送信および／または基地局１０５からモバイルデバイス１１５へのダウンリンク（ＤＬ）送信を含み得る。ダウンリンク送信はまた、フォワードリンク送信と呼ばれ得、一方でアップリンク送信はまた、リバースリンク送信と呼ばれ得る。ダウンリンク送信は、認可スペクトル（例えば、ＬＴＥ）、無認可スペクトル（例えば、無認可スペクトルを用いたＬＴＥ／ＬＴＥ−Ａ）、または両方（無認可スペクトルを用いた／用いないＬＴＥ／ＬＴＥ−Ａ）を使用して成され得る。同様に、アップリンク送信は、認可スペクトル（例えば、ＬＴＥ）、無認可スペクトル（例えば、無認可スペクトルを用いたＬＴＥ／ＬＴＥ−Ａ）、または両方（無認可スペクトルを用いた／用いないＬＴＥ／ＬＴＥ−Ａ）を使用して成され得る。
【００２７】
[0036]  システム１００のいくつかの実施形態では、認可スペクトルにおけるＬＴＥダウンリンク容量が無認可スペクトルにオフロードされ（be offloaded）得る補足ダウンリンク（ＳＤＬ：supplemental downlink）モード、ＬＴＥダウンリンクおよびアップリンク容量の両方が認可スペクトルから無認可スペクトルにオフロードされ得るキャリアアグリゲーションモード、および、基地局（例えば、ｅＮＢ）とＵＥとの間のＬＴＥダウンリンクおよびアップリンク通信が無認可スペクトルにおいて行われ得る（take place）スタンドアロンモードを含む、無認可スペクトルを用いたＬＴＥ／ＬＴＥ−Ａに関する様々な展開状況がサポートされ得る。基地局１０５ならびにＵＥ１１５は、これらのまたは同様の動作のモードのうちの１つまたは複数をサポートし得る。ＯＦＤＭＡ通信信号が、無認可スペクトルにおけるＬＴＥダウンリンク送信に関して通信リンク１２５において使用され得、一方でＳＣ−ＦＤＭＡ通信信号が、無認可スペクトルにおけるＬＴＥアップリンク送信に関して通信リンク１２５において使用され得る。システム１００のようなシステムにおける無認可スペクトルを用いたＬＴＥ／ＬＴＥ−Ａの展開状況または動作のモードのインプリメンテーション（implementation）に関する追加的な詳細、ならびに無認可スペクトルを用いたＬＴＥ／ＬＴＥ−Ａの動作に関する他の特徴および機能は、図２Ａから図９を参照して以下に提供される。
【００２８】
[0037]  次に、図２Ａに移ると、図２００は、無認可スペクトルを用いたＬＴＥ／ＬＴＥ−ＡをサポートするＬＴＥネットワークのためのキャリアアグリゲーションモードの、および補足ダウンリンクモードの例を示す。図２００は、図１のシステム１００の一部の例であり得る。また、基地局１０５−ａは、図１の基地局１０５の例であり得、一方でＵＥ１１５−ａは、図１のＵＥ１１５の例であり得る。
【００２９】
[0038]  図２００における補足ダウンリンクモードの例では、基地局１０５−ａは、ダウンリンク２０５を使用してＯＦＤＭＡ通信信号をＵＥ１１５−ａに送信し得る。ダウンリンク２０５は、無認可スペクトルにおける周波数Ｆ１に関連する。基地局１０５−ａは、双方向リンク２１０を使用してＯＦＤＭＡ通信信号を同じＵＥ１１５−ａに送信し得、かつ双方向リンク２１０を使用してそのＵＥ１１５−ａからＳＣ−ＦＤＭＡ通信信号を受信し得る。双方向リンク２１０は、認可スペクトルにおける周波数Ｆ４に関連する。無認可スペクトルにおけるダウンリンク２０５および認可スペクトルにおける双方向リンク２１０は、同時に動作し得る。ダウンリンク２０５は、基地局１０５−ａにダウンリンク容量オフロードを提供し得る。いくつかの実施形態では、ダウンリンク２０５は、ユニキャストサービス（例えば、１つのＵＥに向けられる（addressed））サービスのためにまたはマルチキャストサービス（例えば、いくつかの（several）ＵＥに向けられる）のために使用され得る。この状況は、認可スペクトルを使用し、かつトラフィックおよび／またはシグナリング輻輳のうちのいくらかを緩和する必要がある、如何なるサービスプロバイダ（例えば、伝統的なモバイルネットワークオペレータまたはＭＮＯ）についても起こり得る。
【００３０】
[0039]  図２００におけるキャリアアグリゲーションモードの１つの例では、基地局１０５−ａは、双方向リンク２１５を使用してＯＦＤＭＡ通信信号をＵＥ１１５−ａに送信し得、かつ双方向リンク２１５を使用して同じＵＥ１１５−ａからＳＣ−ＦＤＭＡ通信信号を受信し得る。双方向リンク２１５は、無認可スペクトルにおける周波数Ｆ１に関連する。基地局１０５−ａはまた、双方向リンク２２０を使用してＯＦＤＭＡ通信信号を同じＵＥ１１５−ａに送信し得、かつ双方向リンク２２０を使用して同じＵＥ１１５−ａからＳＣ−ＦＤＭＡ通信信号を受信し得る。双方向リンク２２０は、認可スペクトルにおける周波数Ｆ２に関連する。双方向リンク２１５は、基地局１０５−ａに関するダウンリンクおよびアップリンク容量オフロードを提供し得る。上述された補足ダウンリンクと同様に、この状況は、認可スペクトルを使用し、かつトラフィックおよび／またはシグナリング輻輳のうちのいくらかを緩和する必要がある、如何なるサービスプロバイダ（例えば、ＭＮＯ）についても起こり得る。
【００３１】
[0040]  図２００におけるキャリアアグリゲーションモードの別の例では、基地局１０５−ａは、双方向リンク２２５を使用してＯＦＤＭＡ通信信号をＵＥ１１５−ａに送信し得、かつ双方向リンク２２５を使用して同じＵＥ１１５−ａからＳＣ−ＦＤＭＡ通信信号を受信し得る。双方向リンク２２５は、無認可スペクトルにおける周波数Ｆ３に関連する。基地局１０５−ａはまた、双方向リンク２３０を使用してＯＦＤＭＡ通信信号を同じＵＥ１１５−ａに送信し得、かつ双方向リンク２３０を使用して同じＵＥ１１５−ａからＳＣ−ＦＤＭＡ通信信号を受信し得る。双方向リンク２３０は、認可スペクトルにおける周波数Ｆ２に関連する。双方向リンク２２５は、基地局１０５−ａに関するダウンリンクおよびアップリンク容量オフロードを提供し得る。この例および上に提供されたものは、例示を目的として提示されており、容量オフロードのために無認可スペクトルを用いたまたは用いないＬＴＥ／ＬＴＥ−Ａを組み合わせる他の同様の動作のモードまたは展開状況が存在し得る。
【００３２】
[0041]  上述したように、無認可スペクトルを用いたＬＴＥ／ＬＴＥ−Ａを使用することによって提供される容量オフロードから恩恵を受け得る典型的なサービスプロバイダは、ＬＴＥスペクトルを用いる伝統的なＭＮＯである。これらのサービスプロバイダに関して、動作構成（operational configuration）は、認可スペクトル上でＬＴＥプライマリコンポーネントキャリア（ＰＣＣ）を使用し、無認可スペクトル上でＬＴＥセカンダリコンポーネントキャリア（ＳＣＣ）を使用するブートストラップモード（例えば、補足ダウンリンク、キャリアアグリゲーション）を含み得る。
【００３３】
[0042]  補足ダウンリンクモードでは、無認可スペクトルを用いたＬＴＥ／ＬＴＥ−Ａに関する制御は、ＬＴＥアップリンク（例えば、双方向リンク２１０のアップリンク部分）上でトランスポートされ得る。ダウンリンク容量オフロードを提供する理由のうちの１つは、データ需要が、主にダウンリンク消費によって引き起こされる（driven）からである。また、このモードでは、ＵＥが無認可スペクトルにおいて送信しないことにより、規制影響（a regulatory impact）がない可能性がある。ＵＥ上でリッスンビフォアトーク（ＬＢＴ：listen-before-talk）またはキャリア検知多元接続（ＣＳＭＡ：carrier sense multiple access）要件をインプリメントする必要はない。しかしながら、ＬＢＴは、例えば、無線フレーム境界にアラインされた、周期的な（例えば、１０ミリ秒ごとの）クリアチャネルアセスメント（ＣＣＡ）、および／または、グラブアンドリリンキッシュメカニズム（a grab-and-relinquish mechanism）を使用することによって基地局（例えば、ｅＮＢ）でインプリメントされ得る。
【００３４】
[0043]  キャリアアグリゲーションモードでは、データおよび制御は、ＬＴＥ（例えば、双方向リンク２１０、２２０、および２３０）において通信され得、一方、データは、無認可スペクトルを用いたＬＴＥ／ＬＴＥ−Ａ（例えば、双方向リンク２１５および２２５）において通信され得る。無認可スペクトルを用いたＬＴＥ／ＬＴＥ−Ａを使用するときにサポートされるキャリアアグリゲーションメカニズムは、ハイブリッド周波数分割複信−時分割複信（ＦＤＤ−ＴＤＤ）キャリアアグリゲーション（a hybrid frequency division duplexing-time division duplexing (FDD-TDD) carrier aggregation）または複数のコンポーネントキャリアにわたって異なる対称性を有するＴＤＤ−ＴＤＤキャリアアグリゲーションに該当し（fall under）得る。
【００３５】
[0044]  図２Ｂは、無認可スペクトルを用いたＬＴＥ／ＬＴＥ−Ａに関するスタンドアロンモードの例を例示する図２００−ａを示す。図２００−ａは、図１のシステム１００の一部の例であり得る。また、基地局１０５−ｂは、図１の基地局１０５および図２Ａの基地局１０５−ａの例であり得、一方で、ＵＥ１１５−ｂは、図１のＵＥ１１５および図２ＡのＵＥ１１５−ａの例であり得る。
【００３６】
[0045]  図２００−ａにおけるスタンドアロンモードの例では、基地局１０５−ｂは、双方向リンク２４０を使用してＯＦＤＭＡ通信信号をＵＥ１１５−ｂに送信し得、かつ双方向リンク２４０を使用してＵＥ１１５−ｂからＳＣ−ＦＤＭＡ通信信号を受信し得る。双方向リンク２４０は、図２Ａを参照して上述した無認可スペクトルにおける周波数Ｆ３に関連する。スタンドアロンモードは、スタジアム内のアクセス（in-stadium access）（例えば、ユニキャスト、マルチキャスト）のような非伝統的なワイヤレスアクセス状況において使用され得る。この動作のモードの典型的なサービスプロバイダは、スタジアムオーナー、ケーブル会社、イベントホスト、ホテル、企業、および認可スペクトルを有さない大企業であり得る。これらのサービスプロバイダに関して、スタンドアロンモードのための動作構成は、無認可スペクトル上でＰＣＣを使用し得る。また、ＬＢＴは、基地局とＵＥとの両方でインプリメントされ得る。
【００３７】
[0046]  次に、図３に移ると、図３００は、様々な実施形態にしたがって、ＬＴＥを、認可スペクトルと無認可スペクトルにおいて同時に使用するときのキャリアアグリゲーションの例を例示する。図３００におけるキャリアアグリゲーションスキームは、図２Ａを参照して上述したハイブリッドＦＤＤ−ＴＤＤキャリアアグリゲーションに対応し得る。このタイプのキャリアアグリゲーションは、図１のシステム１００の少なくとも一部において使用され得る。また、このタイプのキャリアアグリゲーションは、それぞれ図１および図２Ａの基地局１０５および１０５−ａにおいて、および／または、それぞれ図１および図２ＡのＵＥ１１５および１１５−ａにおいて、使用され得る。
【００３８】
[0047]  この例では、ＦＤＤ（ＦＤＤ−ＬＴＥ）は、ダウンリンクにおけるＬＴＥに関連して実施され得、第１のＴＤＤ（ＴＤＤ１）は、無認可スペクトルを用いたＬＴＥ／ＬＴＥ−Ａに関連して実施され得、第２のＴＤＤ（ＴＤＤ２）は、認可スペクトルを用いたＬＴＥに関連して実施され得、および別のＦＤＤ（ＦＤＤ−ＬＴＥ）は、認可スペクトルを用いたアップリンクにおけるＬＴＥに関連して実施され得る。ＴＤＤ１は、６：４のＤＬ：ＵＬ比をもたらし、一方でＴＤＤ２の比は７：３である。時間スケールでは、異なる効果的なＤＬ：ＵＬ比は３：１、１：３、２：２、３：１、２：２、および３：１である。この例は、例示を目的として提示されており、無認可スペクトルを用いたまたは用いないＬＴＥ／ＬＴＥ−Ａの動作を組み合わせる他のキャリアアグリゲーションスキームが存在し得る。
【００３９】
[0048]  図４は、基地局／ｅＮＢ１０５およびＵＥ１１５の設計のブロック図を示し、それは、図１における基地局／ｅＮＢのうちの１つおよびＵＥのうちの１つであり得る。ｅＮＢ１０５は、アンテナ４３４ａから４３４ｔを装備し得、ＵＥ１１５は、アンテナ４５２ａから４５２ｒを装備し得る。ｅＮＢ１０５において、送信プロセッサ４２０は、データソース４１２からデータを、およびコントローラ／プロセッサ４４０から制御情報を受け取り得る（receive）。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）等に関するものであり得る。データは、物理ダウンリンク共有チャネル（ＰＤＳＣＨ）等に関するものであり得る。送信プロセッサ４２０は、データシンボルおよび制御シンボルを取得するために、データおよび制御情報をそれぞれ処理（例えば、符号化およびシンボルマッピング）し得る。送信プロセッサ４２０はまた、例えば、プライマリ同期信号（ＰＳＳ）、セカンダリ同期信号（ＳＳＳ）、およびセル固有の基準信号のための、基準シンボルを生成し得る。送信（ＴＸ）多入力多出力（ＭＩＭＯ）プロセッサ４３０は、適用可能な場合、データシンボル、制御シンボルおよび／または基準シンボルに対して空間処理（例えば、プリコーディング）を実施し得、変調器（ＭＯＤ）４３２ａから４３２ｔに出力シンボルストリームを提供し得る。各変調器４３２は、出力サンプルストリームを取得するために、それぞれの出力シンボルストリームを処理し得る（例えば、ＯＦＤＭ等に関して）。各変調器４３２はさらに、ダウンリンク信号を取得するために、出力サンプルストリームを処理（例えば、アナログへ変換、増幅、フィルタ、およびアップコンバート）し得る。変調器４３２ａから４３２ｔからのダウンリンク信号は、それぞれアンテナ４３４ａから４３４ｔを介して送信され得る。
【００４０】
[0049]  ＵＥ１１５において、アンテナ４５２ａから４５２ｒは、ｅＮＢ１０５からダウンリンク信号を受信し得、復調器（ＤＥＭＯＤ）４５４ａから４５４ｒに、受信された信号をそれぞれ提供し得る。各復調器４５４は、入力サンプルを取得するために、それぞれの受信された信号を調整（例えば、フィルタ、増幅、ダウンコンバート、およびデジタル化）し得る。各復調器４５４はさらに、受信されたシンボルを取得するために、入力サンプルを処理し得る（例えば、ＯＦＤＭ等に関して）。ＭＩＭＯ検出器４５６は、復調器４５４ａから４５４ｒのすべてから、受信されたシンボルを取得し、適用可能な場合、受信されたシンボルに対してＭＩＭＯ検出を実施し、検出されたシンボルを提供し得る。受信プロセッサ４５８は、検出されたシンボルを処理（例えば、復調、デインタリーブ、および復号）し、ＵＥ１１５に関する復号されたデータをデータシンク４６０に提供し、復号された制御情報をコントローラ／プロセッサ４８０に提供し得る。
【００４１】
[0050]  アップリンク上で、ＵＥ１１５において、送信プロセッサ４６４は、データソース４６２からの（例えば、物理アップリンク共有チャネル（ＰＵＳＣＨ）に関する）データを、およびコントローラ／プロセッサ４８０からの（例えば、物理アップリンク制御チャネル（ＰＵＣＣＨ）に関する）制御情報を受け取り得るおよび処理し得る。送信プロセッサ４６４はまた、基準信号のための基準シンボルを生成し得る。送信プロセッサ４６４からのシンボルは、適用可能な場合、ＴＸ  ＭＩＭＯプロセッサ４６６によってプリコーディングされ、復調器４５４ａから４５４ｒによってさらに処理され（例えば、ＳＣ−ＦＤＭ等に関して）、ｅＮＢ１０５に送信され得る。ｅＮＢ１０５において、ＵＥ１１５からのアップリンク信号は、アンテナ４３４によって受信され、変調器４３２によって処理され、適用可能な場合、ＭＩＭＯ検出器４３６によって検出され、ＵＥ１１５によって送られた、復号されたデータおよび制御情報を取得するために、受信プロセッサ４３８によってさらに処理され得る。プロセッサ４３８は、復号されたデータをデータシンク４３９に、復号された制御情報をコントローラ／プロセッサ４４０に提供し得る。
【００４２】
[0051]  コントローラ／プロセッサ４４０および４８０は、それぞれｅＮＢ１０５およびＵＥ１１５における動作を指示し得る。ｅＮＢ１０５におけるコントローラ／プロセッサ４４０および／または他のプロセッサおよびモジュールは、ここに説明された技法に関する様々な処理を実施し得る（perform）かまたはそれらの実行を命じ得る（direct the execution of）。ＵＥ１１５におけるコントローラ／プロセッサ４８０および／または他のプロセッサおよびモジュールもまた、図７におよび図８に例示された機能ブロック、および／またはここに説明された技法に関する他の処理を実施し得るかまたはそれらの実行を命じ得る。メモリ４４２および４８２は、それぞれｅＮＢ１０５およびＵＥ１１５に関するデータおよびプログラムコードを記憶し得る。スケジューラ４４４は、ダウンリンクおよび／またはアップリンク上のデータ送信に関してＵＥをスケジューリングし得る。
【００４３】
[0052]  ５ＧＨｚの範囲（range）における無認可スペクトルは一般に、複数の帯域に分割（broken up into）される。各帯域は、送信電力制約条件（a transmission power constraint）を有する。チャネルは、デバイスによって使用されるスペクトルの最小量である。例えば、無認可スペクトルを用いたＬＴＥ／ＬＴＥ−Ａシステムを含む多くのＬＴＥシステムにおいて、チャネルは、おおよそ２０ＭＨｚの帯域幅で定義され得る。デバイスは、ある帯域に広がる（span）１つまたは複数のチャネルを使用する。ＬＴＥシステムでは、デバイスが４つの２０ＭＨｚのチャネルを使用する場合、デバイスは帯域全体にわたって８０ＭＨｚを使用することが可能であることになる。デバイスはまた、複数の帯域におけるチャネルを使用し得る。無認可スペクトルを用いたＬＴＥ／ＬＴＥ−Ａに関するマルチチャネル設計は、チャネル対キャリアの１対１のマッピングの使用を通じて、ＬＴＥキャリアアグリゲーションフレームワークの要素を再使用し得る。
【００４４】
[0053]  無認可スペクトルを用いた単一のチャネルのＬＴＥ／ＬＴＥ−Ａでは、チャネル状態インジケータ（ＣＳＩ）フィードバックは、ＣＳＩ−基準信号（ＣＳＩ−ＲＳ）処理のＲｅｌ−１１フレームワークを再使用することによって発生し得る。例えば、ＣＳＩ−ＲＳ処理は、干渉推定のための、ゼロ電力の（with zero power）、チャネル推定および干渉測定リソース（ＩＭＲ：interference measurement resource）に関する、パイロット信号のような、非ゼロ電力（ＮＺＰ：non-zero power）ＣＳＩ−ＲＳ（ＮＺＰ−ＣＳＩ−ＲＳ）を含む。ＩＭＲ処理では、サービング基地局はＵＥに何も送信せず、それにより、ＵＥがチャネルコンディションを比較することおよび他のノードからの干渉を測定することが可能になる。動作中、ＣＳＩ−ＲＳ処理のＩＭＲは、トラフィック対パイロット比（ＴＰＲ：traffic to pilot ratio）のミスマッチを防ぐために、他の処理のＮＺＰ−ＣＳＩ−ＲＳ送信とオーバーラップするべきでない。ゼロ電力（ＺＰ）ＣＳＩ−ＲＳ処理は、物理ダウンリンク共有チャネル（ＰＤＳＣＨ）レートマッチングのために使用され得る。ＰＤＳＣＨにおいて送られる何れのデータも、ＩＭＲまたはＺＰ  ＣＳＩ−ＲＳと同じトーンを占有することはできないので、ＺＰ  ＣＳＩ−ＲＳは、ＰＤＳＣＨにおけるレートマッチングのために使用され得る。
【００４５】
[0054]  ＣＳＩ−ＲＳ処理は、無線リソース制御（ＲＲＣ）レイヤを通して構成され得、リソース構成とサブフレーム構成との両方を扱う（handling）。例えば、ＣＳＩ−ＲＳの周波数（frequency of CSI-RS）、ＣＳＩ−ＲＳ処理についての時間における頻度（how often in time for the CSI-RS processes,）、使用する周波数におけるリソース等のような様々なパラメータが、ＲＲＣ通信において設定され得る。選択された処理は、ＵＥ固有（UE-specific）であり得、それは、システムが特定のカバレッジエリア内でＣＳＩフィードバックを具体的に（specifically）制御することを可能にする。Ｒｅｌ−１１  ＣＳＩ−ＲＳフレームワークは、ＵＥによって選択されるかまたはより高いレイヤ構成を通じて、ワイドバンドおよびサブバンドＣＳＩ−ＲＳをサポートする、複数のＣＳＩ報告モードに適用される。
【００４６】
[0055]  無認可スペクトル上のアプリケーションでは、ＣＳＩ−ＲＳは、送信機が、成功したクリアチャネルアセスメント（ＣＣＡ）を検出するときにのみ、送信され得る。ＣＣＡが、ＣＳＩ−ＲＳサブフレーム上で頻繁にクリアになっていない場合（does not clear）、ＣＳＩ報告は、ステイル（stale）および／または不正確になり得る。そのようなリッスンビフォアトーク（ＬＢＴ）システムに関するそのような問題に対処するために、ＣＳＩ−ＲＳの周期性が増加させられ得、それがオーバヘッドも増加させるか、あるいは、オンデマンドの非周期的なＣＳＩ報告を有するために非周期的なＣＳＩ−ＲＳ＋ＩＭＲ送信が使用され得る。
【００４７】
[0056]  ＬＴＥ／ＬＴＥ−Ａシステムのようなアドバンストシステムはまた、通信が１つまたは複数の周波数帯域上の複数のチャネル上で発生し得るマルチチャネル設計を含み得る。図５Ａおよび図５Ｂは、マルチチャネル通信システムにおける送信帯域を例示するブロック図である。図５Ａにおいて、ｅＮＢは、専ら（specifically）チャネル１−４をサポートする周波数帯域、帯域Ａ、においてサービスを提供することが可能であり得る。帯域Ａは、合計帯域幅、帯域幅５００を有する。例えば、帯域Ａの合計帯域幅は、１００ＭＨｚ、８０ＭＨｚ等であり得る。チャネルは、例えば、２０ＭＨｚ、１０ＭＨｚ等の様々なサイズであり得る。図５Ａおよび図５Ｂの目的のために、各チャネルは、２０ＭＨｚのチャネルであると仮定することにする。したがって、図５Ａにおいて、ｅＮＢは、８０ＭＨｚの帯域Ａにおける合計の利用可能な帯域幅について、４つの２０ＭＨｚのチャネルをサポートする。図５Ｂに示されるように、ｅＮＢまたは送信機によってサポートされる複数のチャネルは、複数の帯域に広がり得る。チャネル１、２、および４は、各々帯域Ａ内に位置し、一方でチャネル３は帯域Ｂ内に位置する。
【００４８】
[0057]  本開示の様々な態様によれば、無認可スペクトルを用いたＬＴＥ／ＬＴＥ−ＡシステムにおいてマルチチャネルＣＳＩ設計を用いて動作しているとき、キャリアアグリゲーション（ＣＡ）フレームワークは、チャネル／キャリアごとに定義される「基準（reference）」ＣＳＩ処理を用いて活用され得る。本出願の目的のために、キャリアおよびチャネルという用語は、置換え可能に使用されることとなる。基準ＣＳＩ処理は、送信機がサポートするように構成された任意の特定の帯域における各チャネル上に送信電力が等しく分散される各そのようなチャネルにわたって定義されたＣＳＩ処理である。基準ＣＳＩ処理を定義する際、送信電力は、帯域について送信機が利用可能な最大送信電力を、送信機がその帯域においてサポートしているすべてのチャネルにわたって等しく分散させることによって、決定され得る。異なる帯域は、定義された異なる基準ＣＳＩ処理を有し得、最大送信電力制約条件は、帯域ごとに変化し得る。
【００４９】
[0058]  図６Ａは、本開示の一態様にしたがって構成されたマルチチャネル通信システムにおける送信帯域を例示するブロック図である。ｅＮＢは、帯域Ａにおいてチャネル１、２、および４を、そして帯域Ｂにおいてチャネル３をサポートする、帯域Ａおよび帯域Ｂの両方においてサービスを、提供する。基準ＣＳＩ処理は、帯域Ａと帯域Ｂの各々について定義されることになる。帯域Ａに関する基準ＣＳＩ処理は、チャネル１、２、および４の各々に、３つのチャネルの間で等しく分散された送信電力で、適用されることになる。例えば、帯域Ａに関する最大送信電力が３０ｄＢｍである場合には、各チャネルに関する基準送信電力は１０ｄＢＭであることになる。ｅＮＢは帯域Ｂ内でチャネル３のみをサポートするので、帯域Ｂに関する基準ＣＳＩ処理は、ｅＮＢに関してチャネル３にのみ適用可能であることになる。したがって、帯域Ｂに関する最大送信電力は、全体がチャネル３の基準ＣＳＩ処理に適用されることになる。
【００５０】
[0059]  追加的な例（図６Ａに示されていない）において、別のｅＮＢ送信機が、それが帯域Ａ内で８０ＭＨｚまたは４つの２０ＭＨｚのチャネルをサポートすることを送信メッセージ内で広告し得る（advertise）。帯域Ａに関する基準ＣＳＩ−ＲＳ処理は、８０ＭＨｚにおける４つのチャネルの各々に分散される。ｅＮＢ送信機によってサービス提供されているＵＥは、基準ＣＳＩ−ＲＳ処理により、８０ＭＨｚの４つのチャネルの各々に関してチャネル品質インジケータ（ＣＱＩ：channel quality indicator）を測定し、そして送信されたメッセージにおいてｅＮＢによって具体的に広告された電力オフセット、Ｐｃを使用して、ＣＱＩを送信することになる。
【００５１】
[0060]  いくつかの状況下では、ｅＮＢは、帯域において利用可能なチャネルの総数のサブセット上にのみ特定のＵＥをスケジューリングし得る。図６Ｂは、本開示の一態様にしたがって構成されたマルチチャネル送信帯域を例示するブロック図である。ｅＮＢは、帯域Ａ内で４つの２０ＭＨｚのチャネル、チャネル１−４をサポートする。この８０ＭＨｚ帯域幅のうち、ｅＮＢは、１つの２０ＭＨｚのチャネル、例えば、チャネル２上にのみＵＥをスケジューリングする。この場合、ｅＮＢは、基準ＣＳＩ処理の下で８０ＭＨｚ帯域の合計４つのチャネルについて利用可能な電力の４分の１でＣＱＩを送信することをＵＥに命令（instructing）する代わりに、ＵＥへの電力の増加を示すことを望むであろう。
【００５２】
[0061]  本開示の一態様にしたがって、等しくない電力スプリットアサンプション（power split assumption）の下で帯域Ａにおけるチャネルのサブセットに関してＣＳＩを報告するために、ＵＥは、チャネル２に関するＣＳＩ処理の計算の際に、異なる電力オフセット、Ｐｃを適用し得る。上に示されたように、ｅＮＢ送信機が、それがサポートする帯域およびチャネルの数を広告するとき、送信機はまた、特定のＣＳＩ処理に基づいて測定されたＣＱＩを報告するときにＵＥが適用するべき電力オフセットを示す電力オフセット値、Ｐｃを含める。例示的な態様は、代わりに、等しくない電力スプリットアサンプションの下でチャネルのサブセット（例えば、チャネル２）のみについて報告するときに使用するための異なる電力オフセット値、Ｐｃを、ＵＥが選択することを許す（allow）可能性がある。説明された例では、ＵＥは、チャネル２、なおそれは識別された帯域の４つのチャネル（８０ＭＨｚ）のうちの１つである、に関してＣＱＩを測定しているので、ＵＥは、その帯域に関して利用可能な電力の４倍の新しい電力オフセット値、Ｐｃを選択することになる。したがって、ＣＳＩ−ＲＳ送信に関するＣＳＩ計算を行うとき、ＵＥは、ＣＱＩを送信するために、増加された電力オフセット値、Ｐｃを使用することになる。チャネルのサブセットに関するＣＳＩ処理におけるＣＱＩ送信のための電力オフセット値を増加させると、ＵＥの報告されるＣＱＩはより正確であり得、かつｅＮＢがそのＵＥのための変調およびコーディングスキーム（ＭＣＳ）のより良い選択を行うことが可能になり得る。
【００５３】
[0062]  新しい電力オフセット値を選択することをＵＥに提供する代わりに、本開示の追加的な態様が、帯域において異なるチャネルにわたって不均等に分配された電力でチャネルのサブセットのＣＳＩを報告するための補助的な（auxiliary）ＣＳＩ処理を定義することを提供し得る。新しい電力オフセット値、Ｐｃを選択することは、ＵＥが既に低信号対雑音比（ＳＮＲ）のエリアにおいて動作しているとき、常に最良の（the best）ＣＱＩをもたらすわけではない可能性がある。そのような低ＳＮＲ環境では、チャネル推定値（the channel estimates）は、既にノイジー（noisy）であり得、それは、増加された電力オフセットにしたがって送信されるとき、報告されたＣＱＩにおいて増幅されることになる。
【００５４】
[0063]  図６Ｃは、本開示の一態様にしたがって構成されたマルチチャネル送信帯域を例示するブロック図である。ｅＮＢは、基準ＣＳＩ処理で使用されるべきである電力オフセット値、Ｐｃとともに、帯域Ａおよび帯域Ｂに関する基準ＣＳＩ処理を、広告することになる。ｅＮＢは次いで、特定のチャネル上での通信に関してそれがサービス提供するＵＥをスケジューリングし得る。例えば、ｅＮＢは、帯域Ａのチャネル１上での通信に関して１つのＵＥをスケジューリングする。補助的なＣＳＩ処理が、ｅＮＢ送信機によって、専らその補助的なＣＳＩ処理のために使用されるべきである電力オフセット値、Ｐｃまたは特定の電力レベルとともに、チャネルの特定のサブセットに関して、例えば、チャネル１に関して、定義され得る。例示された例では、補助的なＣＳＩ処理は、チャネル１に関して帯域Ａにおいて定義され、それは、帯域Ｂ上でｅＮＢによってサポートされる合計２つのチャネルのうちの１つである。両方のチャネル上に帯域Ｂの最大送信電力を等しく分散させる代わりに、補助的なＣＳＩ処理は、帯域Ｂにおいて各チャネルに関して定義されることになるものの２倍の電力の電力オフセットで定義される（例えば、チャネル１に関するＰｃは、帯域Ｂの対応する基準ＣＳＩ処理について帯域Ｂにおける２つのチャネルの各々に関して識別されたＰｃの２倍であることになる）。ＵＥによって測定および報告される結果的なＣＱＩは、一般に、定義された補助的なＣＳＩ処理にしたがって、より正確であることになる。しかしながら、定義された補助的なＣＳＩ処理に関してｅＮＢによって使用されるより高いオーバヘッドとのトレードオフが存在し得る。
【００５５】
[0064]  補助的なＣＳＩ処理がＵＥ固有（UE-specific）であると定義されるとき、他のＵＥからのデータ送信がＣＳＩ−ＲＳ送信と干渉しないようにすることを確実にするために、対応するＺＰ−ＣＳＩ−ＲＳが他のＵＥでのレートマッチングに関して定義され得ることに留意されたい。
【００５６】
[0065]  無認可スペクトルを有するＬＴＥ／ＬＴＥ−Ａシステムを用いた動作では、基準ＣＳＩ処理は、ＣＣＡがクリアになっている（clears）チャネルに関してのみ送信される。送信は、すべてのチャネル上で同じ電力を有することになるので、ＣＣＡがＭ個のチャネルのうちのＮ個上でクリアになっているとき、各チャネルに関する電力は、Ｍ／Ｎ倍にスケールアップされ（be scaled up by a factor of M/N）得る。しかしながら、そのような動的な電力スケーリングの場合には、ＵＥは、ＣＳＩをサブフレームにわたって平均化しないことになる。例えば、３０ｄＢｍの送信電力制約条件で、ある帯域上で動作する８０ＭＨｚが可能なｅＮＢ（a 80 MHz-capable eNB）については、基準ＣＳＩ処理は、８０ＭＨｚ全体にわたって、８０ＭＨｚ内の各チャネルにわたって等しく分散された３０ｄＢｍの送信電力で定義されることになる。８０ＭＨｚ帯域の単一の２０ＭＨｚのチャネルに関する補助的なＣＳＩ処理は、その２０ＭＨｚのチャネルに関して、全利用可能な３０ｄＢｍの送信電力で定義される可能性がある。
【００５７】
[0066]  図７は、本開示の一態様をインプリメントするために実行される例示的なブロックを例示するブロック図である。ブロック７００において、送信機は、送信機によってサポートされるチャネルの各々に関して、ＣＣＡチェックを実施する。送信機は、無認可スペクトルを用いたＬＴＥ／ＬＴＥ−Ａシステムのような通信システムにおいて動作する。無認可スペクトルを用いて、送信機は、サポートされたチャネルのうちの何れか上で何かを送信する前に、ＣＣＡチェックのＬＢＴプロシージャを実施する。
【００５８】
[0067]  ブロック７０１において、送信機は、クリアなＣＣＡが検出されたチャネルの各々上で、基準ＣＳＩ処理の指示を送信し、ここで基準ＣＳＩ処理は、送信機が動作する各帯域に関するＣＳＩ処理を定義する。送信機は、クリアなＣＣＡを検出した後にのみそれらチャネル上で送信することができるので、送信されたメッセージは、利用可能な帯域におけるクリアになったチャネルに関する基準ＣＳＩ処理を広告する。
【００５９】
[0068]  ブロック７０２において、送信機は、それらチャネルのうちの１つまたは複数に関するＵＥからのＣＳＩ報告を受信することになる。様々な態様において、送信機は、サポートされたチャネルのうちの１つまたは複数上での通信に関して任意のＵＥをスケジューリングし得る。したがって、送信機は、利用可能なサポートされたチャネルのすべて上でまたはサブセット上での通信およびＣＳＩ処理の実施に関して、ＵＥをスケジューリングし得る。
【００６０】
[0069]  代替的な態様では、送信機が、利用可能なチャネルのサブセットに関して、複数のＵＥのうちの任意のものをスケジューリングするとき、送信機は、代替的なブロック７０３において、送信機によってそのＵＥに関してスケジューリングされたチャネルのサブセットに関する補助的なＣＳＩ処理の指示を送信し得る。補助的なＣＳＩ処理は、専ら、チャネルのそのサブセットに関してスケジューリングされたそのＵＥに送信され得、そして、特定の帯域におけるチャネルのすべてに関してチャネルのそのサブセットに適している送信電力値を使用して、専らチャネルのそのサブセットについて、ＣＳＩ処理を定義することになる。ブロック７０２において送信機によって受信されるＣＳＩ報告はしたがって、ＵＥが、利用可能なチャネルのすべてに関してスケジューリングされるときには、基準ＣＳＩ報告に基づき得、または、ＵＥが、利用可能なチャネルのサブセットのみに関してスケジューリングされるときには、補助的なＣＳＩ報告に基づき得る。
【００６１】
[0070]  図８は、本開示の一態様をインプリメントするために実行される例示的なブロックを例示するブロック図である。ブロック８００において、受信機は、サービング送信機によってサービス提供される各周波数帯域に関する基準ＣＳＩ処理の指示を受信する。基準ＣＳＩ処理は、送信機によってサービス提供される各周波数帯域における、サービング送信機によってサポートされる各利用可能なチャネルに適用される。
【００６２】
[0071]  ブロック８０１において、受信機は、送信機によってサポートされる利用可能なチャネルのうちの１つまたは複数上での通信およびＣＳＩ処理の実施に関して受信機をスケジューリングするサービング送信機からのスケジューリングメッセージを受信する。ブロック８０２において、受信機は、スケジューリングされた利用可能なチャネルの各々に関してＣＳＩ報告を生成することになり、それは、次いで送信を通して送信機にフィードバックされ得る。
【００６３】
[0072]  ブロック８０１において、送信機が、利用可能なチャネルのサブセットに関して受信機をスケジューリングする場合、１つの代替的な態様において、代替的なブロック８０３において、受信機は、スケジューリングされた利用可能なチャネルのサブセットに基づいた新しい電力オフセット値を選択する。新しい電力オフセット値は、利用可能なチャネルの総数に対するスケジューリングされたサブセットにおけるチャネルの数の比に対応することになる。したがって、チャネルのサブセットにおいてスケジューリングされるチャネルがより少ないほど、新しい電力オフセット値は、ＣＳＩ報告のためにＣＳＩを計算する際に受信機が使用する電力を増加させることになる。
【００６４】
[0073]  別の代替的な態様では、代替的なブロック８０４において、ブロック８０３においてのように新しい電力オフセット値を選択した代わりに、受信機は、専ら、利用可能なチャネルのスケジューリングされたサブセットに関して送信機によって定義された、補助的なＣＳＩ処理の指示を受信する。補助的なＣＳＩ処理はまた、スケジューリングされた利用可能なチャネルのサブセットに適合する（accommodate for）ために適した電力レベルを含むことになる。
【００６５】
[0074]  様々な基準ＣＳＩ処理または補助的なＣＳＩ処理に関してＣＳＩフィードバックを送信するとき、すべてのチャネル、キャリア、または処理にわたってフィードバックを送ることは、ペイロードインテンシブ（payload intensive）である可能性がある。ペイロードオーバヘッドを緩和するために、ＣＳＩ報告を送るための特定のチャネルが選択され得る。
【００６６】
[0075]  図９は、本開示の一態様にしたがって構成された通信システム９０を例示するブロック図である。通信システム９０では、ｅＮＢ９００は、通信の４つのチャネル、つまり２つの別々の周波数帯域である帯域Ａおよび帯域Ｂに広がるチャネル１−４を、サポートする。ｅＮＢ９００は、帯域ＡおよびＢに適用される基準ＣＳＩ処理を広告するおよび示すシステムメッセージを送信またはブロードキャストすることになる。ｅＮＢ９００はまた、スケジューリングメッセージをＵＥ９０１に送信することになり、それは特定のチャネル上での通信に関しておよびＣＳＩ処理の実施に関して、ＵＥ９０１をスケジューリングし、それは、チャネル１−４のすべてまたはチャネルのサブセットを含む可能性がある。サブセットにのみスケジューリングされるとき、ｅＮＢ９００は、補助的なＣＳＩ処理の指示をさらに送信し得るか、あるいは代替的な態様では、ＵＥ９０１は、ｅＮＢ９００への送信に関するＣＳＩを計算する際に使用するための新しい電力オフセット値、Ｐｃを独立して選択し得る。
【００６７】
[0076]  ＵＥ９０１がｅＮＢ９００に送信する責任がある（would be responsible to）フィードバックの量を圧縮するための第１のオプションの態様では、ネットワークは、ＵＥ９０１がＣＳＩ報告を生成するべきであるチャネルの特定のセットを設定（configure）し得る。例えば、ｅＮＢ９００が、チャネル１−４のすべて上での通信に関してＵＥ９０１をスケジューリングし得る一方で、ＵＥ９０１がチャネル１および３に関してのみＣＳＩ報告を生成および送信する必要があるとのメッセージが、ｅＮＢ９００からＵＥ９０１にシグナリングされる。したがって、送信機またはｅＮＢ９００は、ＵＥ９０１に対して、それがＵＥ９０１にＣＳＩ報告を生成することを望むチャネルの数を定義することになり、そしてＵＥは、それらの報告を、指定されたチャネルについて生成する。
【００６８】
[0077]  代替的に、ＵＥ９０１は、ＣＳＩを報告するための「最良の」Ｍ個のチャネルを選択し得、ここでＭは少なくとも１である。ここで、チャネルの最良のカテゴリの識別（identification）がｅＮＢ９００によって提供されるが、ＵＥ９０１は、では何れのチャネルがその指定された最良のカテゴリに入るのか、を決定する。したがって、ｅＮＢ９００は、最も高い計算されたＣＳＩを有する２つのチャネルに関してのみＣＳＩ報告を送るように、ＵＥ９０１にシグナリングし得る。１つの動作では、ＵＥ９０１は、チャネル１−４の各々に関するＣＳＩ値を測定し得るが、最も高いＣＳＩ値がチャネル１および２に関するものであることを決定する。ＵＥ９０１は次いで、ｅＮＢ９００に、チャネル１および２に関してのみＣＳＩ報告を送信することになる。
【００６９】
[0078]  「最良の」とは、いくつかの異なる方法で定義され得ることに留意されたい。例えば、最良のとは、最も好ましいＣＳＩ測定値を有するチャネルを意味し得る。最良のとはまた、最も古いまたは最もステイルなＣＳＩ測定値を有するチャネル、あるいは時間にわたるＣＳＩの変化（variation）が最も少ないチャネルさえも意味し得る。したがって、送信機は、ＣＳＩ処理に関するチャネルの数を示し、送るためのＣＳＩ報告の指定されたカテゴリを示すことになる。ＵＥは次いで、チャネルのうちの何れが、指定されたカテゴリに入るかを決定し、そしてそれらのチャネルについてＣＳＩ報告を生成することになる。
【００７０】
[0079]  例えば、ＵＥ９０１が様々なＣＳＩ処理について繰り返し循環させ得る（cycling through）か、または周期的な方法でチャネル１−４のすべてまたはサブセットについて繰り返し循環させ得る、などというような、ペイロードを低減するための追加的な技法もまた適用され得ることに留意されたい。加えて、ＵＥ９０１は、優先順位付けスキームを使用するためにＣＳＩ報告を送るための処理を選び得る（例えば、補助的なＣＳＩ報告は、基準ＣＳＩ報告よりも高く優先順位付けされることができる等）。ＵＥ９０１はまた、ＣＳＩ処理のタイプに基づいて、報告を優先順位付けし得るが、すると、より低い優先順位の処理の送信を単に遅延させる代わりに、より低い優先順位の処理をドロップ（drop）し得る。
【００７１】
[0080]  当業者は、情報および信号が、多様な異なる技術および技法のうちの何れを使用しても表され得ることを理解するだろう。例えば、上の説明の全体を通して言及され得たデータ、命令、コマンド、情報、信号、ビット、シンボル、およびチップは、電圧、電流、電磁波、磁場または磁性粒子、光場または光粒子、あるいはそれらの任意の組み合せによって表され得る。
【００７２】
[0081]  図７および図８における機能ブロックおよびモジュールは、プロセッサ、電子デバイス、ハードウェアデバイス、電子コンポーネント、論理回路、メモリ、ソフトウェアコード、ファームウェアコード等またはそれらの任意の組み合せを備え得る。
【００７３】
[0082]  当業者は、さらに、ここでの開示に関連して説明された様々な例示的な論理ブロック、モジュール、回路、およびアルゴリズムステップが、電子ハードウェア、コンピュータソフトウェア、またはその両方の組み合せとしてインプリメントされ得ることを認識するだろう。ハードウェアおよびソフトウェアのこの互換性を明確に例示するために、様々な例示的なコンポーネント、ブロック、モジュール、回路、およびステップが、一般にそれらの機能の観点から上に説明されている。そのような機能が、ハードウェアとしてインプリメントされるかまたはソフトウェアとしてインプリメントされるかは、特定のアプリケーションおよびシステム全体に課せられる設計制約に依存する。当業者は、説明された機能を特定のアプリケーションごとに様々な方法でインプリメントし得るが、そのようなインプリメンテーションの決定は、本開示の範囲からの逸脱を生じさせるものとして解釈されるべきではない。当業者はまた、ここに説明されたコンポーネント、方法、または相互作用（interactions）の順序または組み合せが単なる例であること、そして本開示の様々な態様のコンポーネント、方法、または相互作用は、ここに例示および説明されたもの以外の方法で組み合わされ得るまたは実施され得ることも容易に認識することになる。
【００７４】
[0083]  ここでの開示に関連して説明された様々な例示的な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、またはここに説明された機能を実施するように設計されたそれらの任意の組み合せを用いて、インプリメントまたは実施され得る。汎用プロセッサは、マイクロプロセッサであり得るが、別の方法では、プロセッサは如何なる従来のプロセッサ、コントローラ、マイクロコントローラ、またはステートマシンでもあり得る。プロセッサはまた、コンピューティングデバイスの組み合せ、例えば、ＤＳＰと１つのマイクロプロセッサの組み合せ、複数のマイクロプロセッサ、ＤＳＰコアと連結した１つまたは複数のマイクロプロセッサ、または任意の他のそのような構成としてもインプリメントされ得る。
【００７５】
[0084]  ここでの開示に関連して説明されたアルゴリズムまたは方法のステップは、直接的にハードウェアにおいて、プロセッサによって実行されるソフトウェアモジュールにおいて、またはそれらの２つの組み合せにおいて、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバルディスク、ＣＤ−ＲＯＭ、または当技術で知られている任意の他の形態の記憶媒体内に存在し得る。例示的な記憶媒体は、プロセッサが記憶媒体から情報を読み出すことができるように、および記憶媒体へ情報を書き込むことができるように、プロセッサに結合されている。別の方法では、記憶媒体は、プロセッサと一体化され得る。プロセッサおよび記憶媒体は、ＡＳＩＣに存在し得る。ＡＳＩＣは、ユーザ端末内に存在し得る。別の方法では、プロセッサおよび記憶媒体は、ユーザ端末内のディスクリートコンポーネントとして存在し得る。
【００７６】
[0085]  １つまたは複数の例示的な設計において、説明された複数の機能は、ハードウェア、ソフトウェア、ファームウェア、またはそれらの任意の組み合せでインプリメントされ得る。ソフトウェアでインプリメントされる場合、機能は、コンピュータ読み取り可能な媒体上の１つまたは複数の命令またはコードとして記憶または送信され得る。コンピュータ読み取り可能な媒体は、１つの場所から別の場所へのコンピュータプログラムの転送を容易にする任意の媒体を含む、コンピュータ記憶媒体および通信媒体の両方を含む。コンピュータ読み取り可能な記憶媒体は、汎用または専用コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは汎用または専用コンピュータ、もしくは汎用または専用プロセッサによってアクセスされることができ、かつ命令またはデータ構造の形態で所望のプログラムコード手段を搬送または記憶するために使用されることができる、任意の他の媒体を備えることができる。また、接続は、コンピュータ読み取り可能な媒体と適正に名付けられ得る。例えば、ソフトウェアが、同軸ケーブル、光ファイバーケーブル、ツイストペアまたはデジタル加入者回線（ＤＳＬ）を使用してウェブサイト、サーバまたは他のリモートソースから送信される場合には、同軸ケーブル、光ファイバーケーブル、ツイストペアまたはＤＳＬは、媒体の定義に含まれる。ここで使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびｂｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組み合せもまた、コンピュータ読み取り可能な媒体の範囲内に含まれるべきである。
【００７７】
[0086]  請求項を含め、ここで使用される場合、「および／または」という用語は、２つ以上の項目のリストに使用されるとき、リストされた項目のうちの何れの１つも、それだけで用いられることができること、あるいは、リストされた項目の２つ以上の如何なる組み合せも用いられることができること、を意味する。例えば、ある構成（composition）がコンポーネントＡ、Ｂおよび／またはＣを含むとして説明される場合、その構成は、Ａ単体、Ｂ単体、Ｃ単体、ＡとＢとの組み合せ、ＡとＣとの組み合せ、ＢとＣとの組み合せ、あるいは、ＡとＢとＣとの組み合せを含むことができる。また、請求項を含め、ここで使用される場合、項目のリスト（例えば、「のうちの少なくとも１つ」または「のうちの１つまたは複数」のような表現が付される項目のリスト）で使用される「または」は、例えば、「Ａ、ＢまたはＣのうちの少なくとも１つ」のリストが、ＡまたはＢまたはＣまたはＡＢまたはＡＣまたはＢＣまたはＡＢＣ（すなわち、ＡおよびＢおよびＣ）あるいはそれらの任意の組み合せを意味するように、選言的なリスト（a disjunctive list）を示す。
【００７８】
[0087]  本開示の先の説明は、当業者が本開示を製造するまたは使用することを可能にするために提供される。本開示への様々な修正は、当業者にとって容易に明らかとなり、ここに定義された一般的な原理は、本開示の範囲または精神から逸脱することなく、他のバリエーションにも適用され得る。したがって、本開示は、ここに説明された例および設計に限定されるようには意図されておらず、ここに開示された原理および新規な特徴と一致する最も広い範囲を与えられるべきである。
以下に、本願出願の当初の特許請求の範囲に記載された発明を付記する。
［Ｃ１］
ワイヤレス通信の方法であって、
送信機によってサービス提供される１つまたは複数の周波数帯域上で、前記送信機によってサポートされる１つまたは複数のチャネルに関して、クリアチャネルアセスメント（ＣＣＡ）チェックを実施することと、
前記ＣＣＡチェックが成功した前記１つまたは複数のチャネルの各々上で、基準チャネル状態情報（ＣＳＩ）処理の指示を送信することと、
ここにおいて、前記基準ＣＳＩ処理は、前記１つまたは複数の周波数帯域内の前記１つまたは複数のチャネルに適用可能であり、
ここにおいて、前記基準ＣＳＩ処理の基準送信電力は、対応する１つまたは複数の周波数帯域の前記１つまたは複数のチャネルにわたって等しく分散された、前記１つまたは複数の周波数帯域の各々の最大送信電力として、前記送信において示され、
前記１つまたは複数のチャネルのうちの前記スケジューリングされた１つまたは複数の各々に関するユーザ装置（ＵＥ）からのＣＳＩ報告を受信することと、ここにおいて、前記ＣＳＩ報告は、
前記１つまたは複数のチャネルのうちの前記スケジューリングされた１つまたは複数が前記１つまたは複数のチャネルのすべてであるときには、前記基準ＣＳＩ処理、または、
前記１つまたは複数のチャネルのうちの前記スケジューリングされた１つまたは複数が前記１つまたは複数のチャネルのスケジューリングされたサブセットであるときには、修正されたＣＳＩ報告、
のうちの１つに基づく
を備える、方法。
［Ｃ２］
前記修正されたＣＳＩ報告は、前記送信機によって示される前記基準送信電力とは異なる受信された送信電力を使用して計算される、Ｃ１に記載の方法。
［Ｃ３］
前記受信された送信電力は、前記１つまたは複数のチャネルの前記スケジューリングされたサブセットに少なくとも部分的に基づく、Ｃ２に記載の方法。
［Ｃ４］
補助的なＣＳＩ処理の指示を送信することをさらに含み、ここにおいて、前記補助的なＣＳＩ処理は、前記１つまたは複数のチャネルの１つまたは複数のサブセットに関して定義され、前記補助的なＣＳＩ処理に関する補助的な送信電力は、前記１つまたは複数のサブセットのうちの対応するサブセットに基づいて示され、
ここにおいて、前記修正されたＣＳＩ報告は、前記１つまたは複数のチャネルの前記サブセットに関して定義された前記補助的なＣＳＩ処理に基づく、Ｃ１に記載の方法。
［Ｃ５］
前記補助的なＣＳＩ処理は、複数のＵＥのうちの指定されたＵＥに送信される、Ｃ４に記載の方法。
［Ｃ６］
前記指定されたＵＥ以外の前記複数のＵＥのデータ送信をレートマッチングするために、１つまたは複数のＣＳＩ基準信号（ＣＳＩ−ＲＳ）を前記指定されたＵＥ以外の前記複数のＵＥの各々に送信することをさらに含む、Ｃ５に記載の方法。
［Ｃ７］
前記基準ＣＳＩ処理の前記基準送信電力は、前記１つまたは複数のチャネル対前記ＣＣＡチェックが成功した前記１つまたは複数のチャネルの比にしたがって、スケーリングされる、Ｃ１に記載の方法。
［Ｃ８］
前記ＣＳＩ報告は、前記ＣＣＡチェックが成功した前記１つまたは複数のチャネルのすべてのサブフレームにわたって平均化されない、Ｃ７に記載の方法。
［Ｃ９］
前記ＵＥが前記対応するＣＳＩ報告を送信するための、前記１つまたは複数のチャネルのうちの前記スケジューリングされた１つまたは複数のうちのチャネルのセットの通知を送信することをさらに含む、Ｃ１に記載の方法。
［Ｃ１０］
前記ＵＥが前記ＣＳＩ報告を提供することになる前記１つまたは複数のチャネルのうちの前記スケジューリングされた１つまたは複数の、チャネルの数を送信することと、
前記ＵＥが前記ＣＳＩ報告を提供することになるＣＳＩカテゴリを送信することと、
をさらに含み、
ここにおいて、前記ＣＳＩ報告を前記受信することは、前記チャネルの数までの、前記ＣＳＩカテゴリを満たす前記１つまたは複数のチャネルのうちの前記スケジューリングされた１つまたは複数の各々に関するＣＳＩ報告を受信することを含む、
Ｃ１に記載の方法。
［Ｃ１１］
前記ＣＳＩカテゴリは、
最も高いＭ値のＣＳＩ測定値、ここでＭは少なくとも１である、
最もステイルなＣＳＩ値を有する１つまたは複数のチャネル、または、
時間の所定のウィンドウにわたってＣＳＩの変化が最も少ない１つまたは複数のチャネル
のうちの１つを含む、Ｃ１０に記載の方法。
［Ｃ１２］
ワイヤレス通信の方法であって、
サービング送信機によってサービス提供される１つまたは複数の周波数帯域の各々上で、基準チャネル状態情報（ＣＳＩ）処理の指示を受信することと、
ここにおいて、前記基準ＣＳＩ処理は、前記１つまたは複数の周波数帯域内の、前記サービング送信機によってサポートされる前記１つまたは複数のチャネルに適用可能であり、
ここにおいて、前記基準ＣＳＩ処理の基準送信電力は、対応する１つまたは複数の周波数帯域の前記１つまたは複数のチャネルにわたって等しく分散された、前記１つまたは複数の周波数帯域の各々の最大送信電力として示され、
前記１つまたは複数のチャネルのうちの１つまたは複数に関する前記サービング送信機からのスケジュールを受信することと、
前記１つまたは複数のチャネルのうちの前記スケジューリングされた１つまたは複数の各々に関してＣＳＩ報告を生成することと、ここにおいて、前記ＣＳＩ報告の各々は、
前記１つまたは複数のチャネルのうちの前記スケジューリングされた１つまたは複数が前記１つまたは複数のチャネルのすべてであるときには、前記基準ＣＳＩ処理、または、
前記１つまたは複数のチャネルのうちの前記スケジューリングされた１つまたは複数が前記１つまたは複数のチャネルのスケジューリングされたサブセットであるときには、修正されたＣＳＩ報告、
のうちの１つに基づく、
を備える、方法。
［Ｃ１３］
前記１つまたは複数のチャネルのうちの前記スケジューリングされた１つまたは複数は、前記１つまたは複数のチャネルの前記サブセットであり、前記方法は、
修正された送信電力を使用して前記修正されたＣＳＩ報告を送信することをさらに含み、ここにおいて、前記修正された送信電力は、前記１つまたは複数のチャネルのすべて対前記１つまたは複数のチャネルの前記スケジューリングされたサブセットの比によってスケーリングされる前記基準送信電力である、
Ｃ１２に記載の方法。
［Ｃ１４］
補助的なＣＳＩ処理の指示を受信することをさらに含み、ここにおいて、前記補助的なＣＳＩ処理は、前記１つまたは複数のチャネルの１つまたは複数のサブセットに関して定義され、前記補助的なＣＳＩ処理に関する補助的な送信電力は、前記１つまたは複数のサブセットのうちの対応するサブセットに基づいて示され、
ここにおいて、前記修正されたＣＳＩ報告は、前記１つまたは複数のチャネルの前記スケジューリングされたサブセットに関して定義された前記補助的なＣＳＩ処理に基づく、Ｃ１２に記載の方法。
［Ｃ１５］
前記基準ＣＳＩ処理の前記基準送信電力の前記指示は、前記基準送信電力が、前記ＣＣＡチェックが成功しなかった前記１つまたは複数のチャネルのうちの少なくとも１つに基づいてスケーリングされたことを示す、Ｃ１２に記載の方法。
［Ｃ１６］
前記ＣＳＩ報告を前記生成することは、前記ＣＣＡチェックが成功した前記１つまたは複数のチャネルのすべてのサブフレームにわたって前記ＣＳＩを平均化しない、Ｃ１５に記載の方法。
［Ｃ１７］
対応するＣＳＩ報告を前記サービング送信機に送信するために、前記ＣＳＩ報告が生成される、前記１つまたは複数のチャネルのうちの前記スケジューリングされた１つまたは複数のうちの、チャネルのセットを選択することをさらに含む、Ｃ１２に記載の方法。
［Ｃ１８］
前記サービング送信機からチャネルの前記セットを受信することをさらに含む、Ｃ１７に記載の方法。
［Ｃ１９］
前記ＣＳＩ報告を提供するための前記１つまたは複数のチャネルのうちの前記スケジューリングされた１つまたは複数の、チャネルの数を受信することと、
前記ＣＳＩ報告を提供するためのＣＳＩカテゴリを受信することと、
ここにおいて、前記選択することは、前記１つまたは複数のチャネルのうちの前記スケジューリングされた１つまたは複数のうちの何れが前記ＣＳＩカテゴリを満たすかを決定することを含む、
前記チャネルの数までの、前記ＣＳＩカテゴリを満たす前記１つまたは複数のチャネルのうちの前記スケジューリングされた１つまたは複数の各々に関する前記ＣＳＩ報告を送信することと、
をさらに含む、Ｃ１７に記載の方法。
［Ｃ２０］
前記ＣＳＩカテゴリは、
最も高い値のＣＳＩ測定値、
最もステイルなＣＳＩ値を有する１つまたは複数のチャネル、または、
時間の所定のウィンドウにわたってＣＳＩの変化が最も少ない１つまたは複数のチャネル
のうちの１つを含む、Ｃ１９に記載の方法。
［Ｃ２１］
前記選択することは、
前記１つまたは複数のチャネルのうちの前記スケジューリングされた１つまたは複数の各々に関して生成された前記ＣＳＩ報告の各々の送信を循環させることを含み、ここにおいて、前記受信機が、ある時間において、前記１つまたは複数のチャネルのうちの前記スケジューリングされた１つまたは複数のうちの前記対応する１つに関する前記ＣＳＩ報告のうちの１つを送信する、Ｃ１７に記載の方法。
［Ｃ２２］
前記選択することは、
前記１つまたは複数のチャネルのうちの前記スケジューリングされた１つまたは複数の各々に関して生成された前記ＣＳＩ報告の各々の送信を優先順位付けすることを含む、Ｃ１７に記載の方法。
［Ｃ２３］
前記ＣＳＩ報告を前記生成した後の所定の時間内に前記受信機によって送信されない前記１つまたは複数のチャネルのうちの前記スケジューリングされた１つまたは複数の各々に関する前記ＣＳＩ報告が、前記受信機によってドロップされる、Ｃ２２に記載の方法。
［Ｃ２４］
ワイヤレス通信のために構成された装置であって、
送信機によってサービス提供される１つまたは複数の周波数帯域上で、前記送信機によってサポートされる１つまたは複数のチャネルに関して、クリアチャネルアセスメント（ＣＣＡ）チェックを実施するための手段と、
前記ＣＣＡチェックが成功した前記１つまたは複数のチャネルの各々上で、基準チャネル状態情報（ＣＳＩ）処理の指示を送信するための手段と、
ここにおいて、前記基準ＣＳＩ処理は、前記１つまたは複数の周波数帯域内の前記１つまたは複数のチャネルに適用可能であり、
ここにおいて、前記基準ＣＳＩ処理の基準送信電力は、対応する１つまたは複数の周波数帯域の前記１つまたは複数のチャネルにわたって等しく分散された、前記１つまたは複数の周波数帯域の各々の最大送信電力として、前記送信において示され、
前記１つまたは複数のチャネルのうちの前記スケジューリングされた１つまたは複数の各々に関するユーザ装置（ＵＥ）からのＣＳＩ報告を受信するための手段と、ここにおいて、前記ＣＳＩ報告は、
前記１つまたは複数のチャネルのうちの前記スケジューリングされた１つまたは複数が前記１つまたは複数のチャネルのすべてであるときには、前記基準ＣＳＩ処理、または、
前記１つまたは複数のチャネルのうちの前記スケジューリングされた１つまたは複数が前記１つまたは複数のチャネルのスケジューリングされたサブセットであるときには、修正されたＣＳＩ報告、
のうちの１つに基づく、
を備える、装置。
［Ｃ２５］
前記修正されたＣＳＩ報告は、前記送信機によって示される前記基準送信電力とは異なる受信された送信電力を使用して計算される、Ｃ２４に記載の装置。
［Ｃ２６］
前記受信された送信電力は、前記１つまたは複数のチャネルの前記スケジューリングされたサブセットに少なくとも部分的に基づく、Ｃ２５に記載の装置。
［Ｃ２７］
補助的なＣＳＩ処理の指示を送信するための手段をさらに含み、ここにおいて、前記補助的なＣＳＩ処理は、前記１つまたは複数のチャネルの１つまたは複数のサブセットに関して定義され、前記補助的なＣＳＩ処理に関する補助的な送信電力は、前記１つまたは複数のサブセットのうちの対応するサブセットに基づいて示され、前記修正されたＣＳＩ報告は、前記１つまたは複数のチャネルの前記サブセットに関して定義された前記補助的なＣＳＩ処理に基づく、Ｃ２４に記載の装置。
［Ｃ２８］
ワイヤレス通信のために構成された装置であって、
サービング送信機によってサービス提供される１つまたは複数の周波数帯域の各々上で、基準チャネル状態情報（ＣＳＩ）処理の指示を受信するための手段と、
ここにおいて、前記基準ＣＳＩ処理は、前記１つまたは複数の周波数帯域内の、前記サービング送信機によってサポートされる前記１つまたは複数のチャネルに適用可能であり、
ここにおいて、前記基準ＣＳＩ処理の基準送信電力は、対応する１つまたは複数の周波数帯域の前記１つまたは複数のチャネルにわたって等しく分散された、前記１つまたは複数の周波数帯域の各々の最大送信電力として示され、
前記１つまたは複数のチャネルのうちの１つまたは複数に関する前記サービング送信機からのスケジュールを受信するための手段と、
前記１つまたは複数のチャネルのうちの前記スケジューリングされた１つまたは複数の各々に関してＣＳＩ報告を生成するための手段と、ここにおいて、前記ＣＳＩ報告の各々は、
前記１つまたは複数のチャネルのうちの前記スケジューリングされた１つまたは複数が前記１つまたは複数のチャネルのすべてであるときには、前記基準ＣＳＩ処理、または、
前記１つまたは複数のチャネルのうちの前記スケジューリングされた１つまたは複数が前記１つまたは複数のチャネルのスケジューリングされたサブセットであるときには、修正されたＣＳＩ報告、
のうちの１つに基づく、
を備える、装置。
［Ｃ２９］
前記１つまたは複数のチャネルのうちの前記スケジューリングされた１つまたは複数は、前記１つまたは複数のチャネルの前記サブセットであり、前記装置は、修正された送信電力を使用して前記修正されたＣＳＩ報告を送信するための手段をさらに含み、ここにおいて、前記修正された送信電力は、前記１つまたは複数のチャネルのすべて対前記１つまたは複数のチャネルの前記スケジューリングされたサブセットの比によってスケーリングされる前記基準送信電力である、Ｃ２８に記載の装置。
［Ｃ３０］
補助的なＣＳＩ処理の指示を受信するための手段をさらに含み、ここにおいて、前記補助的なＣＳＩ処理は、前記１つまたは複数のチャネルの１つまたは複数のサブセットに関して定義され、前記補助的なＣＳＩ処理に関する補助的な送信電力は、前記１つまたは複数のサブセットのうちの対応するサブセットに基づいて示され、前記修正されたＣＳＩ報告は、前記１つまたは複数のチャネルの前記スケジューリングされたサブセットに関して定義された前記補助的なＣＳＩ処理に基づく、Ｃ２８に記載の装置。
【図１】
0006426284.tif 000002
【図２Ａ】
0006426284.tif 000003
【図２Ｂ】
0006426284.tif 000004
【図３】
0006426284.tif 000005
【図４】
0006426284.tif 000006
【図５Ａ】
0006426284.tif 000007
【図５Ｂ】
0006426284.tif 000008
【図６Ａ】
0006426284.tif 000009
【図６Ｂ】
0006426284.tif 000010
【図６Ｃ】
0006426284.tif 000011
【図７】
0006426284.tif 000012
【図８】
0006426284.tif 000013
【図９】
0006426284.tif 000014